(57)【特許請求の範囲】
【請求項１】
回転軸と、
前記回転軸の周囲に設けられた環状部と、前記環状部の径方向外側へ延びる軸部を有すると共に該軸部の先端から分岐された第１分岐部及び第２分岐部を有し前記環状部の周方向に配列された複数のティースと、を有する電機子コアと、
前記回転軸の周方向に沿って配列された複数のセグメントを有する整流子と、
前記複数のセグメントのうちの二つのセグメントにそれぞれ結線された一端側結線部及び他端側結線部を有すると共に、該一端側結線部及び他端側結線部の間に、前記ティースの軸部に集中巻きされた複数の内側コイル部をそれぞれ有する複数の内側巻線と、
前記複数のセグメントのうちの二つのセグメントにそれぞれ結線された一端側結線部及び他端側結線部を有すると共に、該一端側結線部及び他端側結線部の間に、隣り合う前記ティースのうち一方の前記ティースの第１分岐部と他方の前記ティースの第２分岐部とに亘って分布巻きされた複数の外側コイル部をそれぞれ有する複数の外側巻線と、
を備える電機子であって、
前記複数のティースの数、及び、前記複数のセグメントの数は、２４個とされ、
前記複数のティースを前記電機子コアの周方向に順番に第１ティース〜第２４ティースとし、
前記複数のセグメントを前記整流子の周方向に順番に第１セグメント〜第２４セグメントとし、
前記複数の内側コイル部を前記電機子の周方向に順番に第１コイル部〜第１２コイル部とし、
前記複数の外側コイル部を前記電機子の周方向に順番に第１３コイル部〜第２４コイル部とした場合に、
前記複数の内側巻線は、
一端側結線部が第１セグメントに結線されると共に、他端側結線部が第１０セグメントに結線され、かつ、該一端側結線部及び他端側結線部の間に、第１２ティースの軸部に集中巻きされた第１２コイル部と、第２ティースの軸部に集中巻きされた第２コイル部と、第４ティースの軸部に集中巻きされた第４コイル部とを有する第１内側巻線と、
一端側結線部が第１３セグメントに結線されると共に、他端側結線部が第２２セグメントに結線され、かつ、該一端側結線部及び他端側結線部の間に、第６ティースの軸部に集中巻きされた第６コイル部と、第８ティースの軸部に集中巻きされた第８コイル部と、第１０ティースの軸部に集中巻きされた第１０コイル部とを有する第２内側巻線と、
一端側結線部が第１２セグメントに結線されると共に、他端側結線部が第３セグメントに結線され、かつ、該一端側結線部及び他端側結線部の間に、第７ティースの軸部に集中巻きされた第７コイル部と、第５ティースの軸部に集中巻きされた第５コイル部と、第３ティースの軸部に集中巻きされた第３コイル部とを有する第３内側巻線と、
一端側結線部が第２４セグメントに結線されると共に、他端側結線部が第１５セグメントに結線され、かつ、該一端側結線部及び他端側結線部の間に、第１ティースの軸部に集中巻きされた第１コイル部と、第１１ティースの軸部に集中巻きされた第１１コイル部と、第９ティースの軸部に集中巻きされた第９コイル部とを有する第４内側巻線と、
を含み、
前記複数の外側巻線は、
一端側結線部が第３セグメントに結線されると共に、他端側結線部が第１８セグメントに結線され、かつ、該一端側結線部及び他端側結線部の間に、第１２ティースの第１分岐部及び第１ティースの第２分岐部に亘って分布巻きされた第２４コイル部と、第１０ティースの第１分岐部及び第１１ティースの第２分岐部に亘って分布巻きされた第２２コイル部と、第８ティースの第１分岐部及び第９ティースの第２分岐部に亘って分布巻きされた第２０コイル部とを有する第１外側巻線と、
一端側結線部が第１５セグメントに結線されると共に、他端側結線部が第６セグメントに結線され、かつ、該一端側結線部及び他端側結線部の間に、第６ティースの第１分岐部及び第７ティースの第２分岐部に亘って分布巻きされた第１８コイル部と、第４ティースの第１分岐部及び第５ティースの第２分岐部に亘って分布巻きされた第１６コイル部と、第２ティースの第１分岐部及び第３ティースの第２分岐部に亘って分布巻きされた第１４コイル部とを有する第２外側巻線と、
一端側結線部が第１７セグメントに結線されると共に、他端側結線部が第８セグメントに結線され、かつ、該一端側結線部及び他端側結線部の間に、第７ティースの第１分岐部及び第８ティースの第２分岐部に亘って分布巻きされた第１９コイル部と、第５ティースの第１分岐部及び第６ティースの第２分岐部に亘って分布巻きされた第１７コイル部と、第３ティースの第１分岐部及び第４ティースの第２分岐部に亘って分布巻きされた第１５コイル部とを有する第３外側巻線と、
一端側結線部が第５セグメントに結線されると共に、他端側結線部が第２０セグメントに結線され、かつ、該一端側結線部及び他端側結線部の間に、第１ティースの第１分岐部及び第２ティースの第２分岐部に亘って分布巻きされた第１３コイル部と、第１１ティースの第１分岐部及び第１２ティースの第２分岐部に亘って分布巻きされた第２３コイル部と、第９ティースの第１分岐部及び第１０ティースの第２分岐部に亘って分布巻きされた第２１コイル部とを有する第４外側巻線と、
を含む、
電機子。
【請求項２】
回転軸と、
前記回転軸の周囲に設けられた環状部と、前記環状部の径方向外側へ延びる軸部を有すると共に該軸部の先端から分岐された第１分岐部及び第２分岐部を有し前記環状部の周方向に配列された複数のティースと、を有する電機子コアと、
前記回転軸の周方向に沿って配列された複数のセグメントを有する整流子と、
前記複数のセグメントのうちの二つのセグメントにそれぞれ結線された一端側結線部及び他端側結線部を有すると共に、該一端側結線部及び他端側結線部の間に、前記ティースの軸部に集中巻きされた複数の内側コイル部をそれぞれ有する複数の内側巻線と、
前記複数のセグメントのうちの二つのセグメントにそれぞれ結線された一端側結線部及び他端側結線部を有すると共に、該一端側結線部及び他端側結線部の間に、隣り合う前記ティースのうち一方の前記ティースの第１分岐部と他方の前記ティースの第２分岐部とに亘って分布巻きされた複数の外側コイル部をそれぞれ有する複数の外側巻線と、
を備える電機子であって、
前記複数のティースの数、及び、前記複数のセグメントの数は、１６個とされ、
前記複数のティースを前記電機子コアの周方向に順番に第１ティース〜第１６ティースとし、
前記複数のセグメントを前記整流子の周方向に順番に第１セグメント〜第１６セグメントとし、
前記複数の内側コイル部を前記電機子の周方向に順番に第１コイル部〜第８コイル部とし、
前記複数の外側コイル部を前記電機子の周方向に順番に第９コイル部〜第１６コイル部とした場合に、
前記複数の内側巻線は、
一端側結線部が第１セグメントに結線されると共に、他端側結線部が第２セグメントに結線され、かつ、該一端側結線部及び他端側結線部の間に、第８ティースの軸部に集中巻きされた第８コイル部と、第２ティースの軸部に集中巻きされた第２コイル部とを有する第１内側巻線と、
一端側結線部が第７セグメントに結線されると共に、他端側結線部が第８セグメントに結線され、かつ、該一端側結線部及び他端側結線部の間に、第３ティースの軸部に集中巻きされた第３コイル部と、第５ティースの軸部に集中巻きされた第５コイル部とを有する第２内側巻線と、
一端側結線部が第１４セグメントに結線されると共に、他端側結線部が第５セグメントに結線され、かつ、該一端側結線部及び他端側結線部の間に、第６ティースの軸部に集中巻きされた第６コイル部と、第４ティースの軸部に集中巻きされた第４コイル部とを有する第３内側巻線と、
一端側結線部が第４セグメントに結線されると共に、他端側結線部が第１１セグメントに結線され、かつ、該一端側結線部及び他端側結線部の間に、第１ティースの軸部に集中巻きされた第１コイル部と、第７ティースの軸部に集中巻きされた第７コイル部とを有する第４内側巻線と、
を含み、
前記複数の外側巻線は、
一端側結線部が第１３セグメントに結線されると共に、他端側結線部が第１２セグメントに結線され、かつ、該一端側結線部及び他端側結線部の間に、第６ティースの第２分岐部及び第５ティースの第１分岐部に亘って分布巻きされた第１３コイル部と、第８ティースの第２分岐部及び第７ティースの第１分岐部に亘って分布巻きされた第１５コイル部とを有する第１外側巻線と、
一端側結線部が第３セグメントに結線されると共に、他端側結線部が第１０セグメントに結線され、かつ、該一端側結線部及び他端側結線部の間に、第１ティースの第２分岐部及び第８ティースの第１分岐部に亘って分布巻きされた第１６コイル部と、第３ティースの第２分岐部及び第２ティースの第１分岐部に亘って分布巻きされた第１０コイル部とを有する第２外側巻線と、
一端側結線部が第９セグメントに結線されると共に、他端側結線部が第１６セグメントに結線され、かつ、該一端側結線部及び他端側結線部の間に、第３ティースの第１分岐部及び第４ティースの第２分岐部に亘って分布巻きされた第１１コイル部と、第１ティースの第１分岐部及び第２ティースの第２分岐部に亘って分布巻きされた第９コイル部とを有する第３外側巻線と、
一端側結線部が第１５セグメントに結線されると共に、他端側結線部が第６セグメントに結線され、かつ、該一端側結線部及び他端側結線部の間に、第６ティースの第１分岐部及び第７ティースの第２分岐部に亘って分布巻きされた第１４コイル部と、第４ティースの第１分岐部及び第５ティースの第２分岐部に亘って分布巻きされた第１２コイル部とを有する第４外側巻線と、
を含む、
電機子。
【請求項３】
電機子と、
前記電機子と対向する複数の永久磁石と、
を備え、
前記電機子は、
回転軸と、
前記回転軸の周囲に設けられた環状部と、前記環状部の径方向外側へ延びる軸部を有すると共に該軸部の先端から分岐された第１分岐部及び第２分岐部を有し前記環状部の周方向に配列された複数のティースと、を有する電機子コアと、
前記回転軸の周方向に沿って配列された複数のセグメントを有する整流子と、
前記複数のセグメントのうちの二つのセグメントにそれぞれ結線された一端側結線部及び他端側結線部を有すると共に、該一端側結線部及び他端側結線部の間に、前記ティースの軸部に集中巻きされた複数の内側コイル部をそれぞれ有する複数の内側巻線と、
前記複数のセグメントのうちの二つのセグメントにそれぞれ結線された一端側結線部及び他端側結線部を有すると共に、該一端側結線部及び他端側結線部の間に、隣り合う前記ティースのうち一方の前記ティースの第１分岐部と他方の前記ティースの第２分岐部とに亘って分布巻きされた複数の外側コイル部をそれぞれ有する複数の外側巻線と、
を備え、
前記複数のティースの数、及び、前記複数のセグメントの数は、２４個とされ、
前記複数のティースを前記電機子コアの周方向に順番に第１ティース〜第２４ティースとし、
前記複数のセグメントを前記整流子の周方向に順番に第１セグメント〜第２４セグメントとし、
前記複数の内側コイル部を前記電機子の周方向に順番に第１コイル部〜第１２コイル部とし、
前記複数の外側コイル部を前記電機子の周方向に順番に第１３コイル部〜第２４コイル部とした場合に、
前記複数の内側巻線は、
一端側結線部が第１セグメントに結線されると共に、他端側結線部が第１０セグメントに結線され、かつ、該一端側結線部及び他端側結線部の間に、第１２ティースの軸部に集中巻きされた第１２コイル部と、第２ティースの軸部に集中巻きされた第２コイル部と、第４ティースの軸部に集中巻きされた第４コイル部とを有する第１内側巻線と、
一端側結線部が第１３セグメントに結線されると共に、他端側結線部が第２２セグメントに結線され、かつ、該一端側結線部及び他端側結線部の間に、第６ティースの軸部に集中巻きされた第６コイル部と、第８ティースの軸部に集中巻きされた第８コイル部と、第１０ティースの軸部に集中巻きされた第１０コイル部とを有する第２内側巻線と、
一端側結線部が第１２セグメントに結線されると共に、他端側結線部が第３セグメントに結線され、かつ、該一端側結線部及び他端側結線部の間に、第７ティースの軸部に集中巻きされた第７コイル部と、第５ティースの軸部に集中巻きされた第５コイル部と、第３ティースの軸部に集中巻きされた第３コイル部とを有する第３内側巻線と、
一端側結線部が第２４セグメントに結線されると共に、他端側結線部が第１５セグメントに結線され、かつ、該一端側結線部及び他端側結線部の間に、第１ティースの軸部に集中巻きされた第１コイル部と、第１１ティースの軸部に集中巻きされた第１１コイル部と、第９ティースの軸部に集中巻きされた第９コイル部とを有する第４内側巻線と、
を含み、
前記複数の外側巻線は、
一端側結線部が第３セグメントに結線されると共に、他端側結線部が第１８セグメントに結線され、かつ、該一端側結線部及び他端側結線部の間に、第１２ティースの第１分岐部及び第１ティースの第２分岐部に亘って分布巻きされた第２４コイル部と、第１０ティースの第１分岐部及び第１１ティースの第２分岐部に亘って分布巻きされた第２２コイル部と、第８ティースの第１分岐部及び第９ティースの第２分岐部に亘って分布巻きされた第２０コイル部とを有する第１外側巻線と、
一端側結線部が第１５セグメントに結線されると共に、他端側結線部が第６セグメントに結線され、かつ、該一端側結線部及び他端側結線部の間に、第６ティースの第１分岐部及び第７ティースの第２分岐部に亘って分布巻きされた第１８コイル部と、第４ティースの第１分岐部及び第５ティースの第２分岐部に亘って分布巻きされた第１６コイル部と、第２ティースの第１分岐部及び第３ティースの第２分岐部に亘って分布巻きされた第１４コイル部とを有する第２外側巻線と、
一端側結線部が第１７セグメントに結線されると共に、他端側結線部が第８セグメントに結線され、かつ、該一端側結線部及び他端側結線部の間に、第７ティースの第１分岐部及び第８ティースの第２分岐部に亘って分布巻きされた第１９コイル部と、第５ティースの第１分岐部及び第６ティースの第２分岐部に亘って分布巻きされた第１７コイル部と、第３ティースの第１分岐部及び第４ティースの第２分岐部に亘って分布巻きされた第１５コイル部とを有する第３外側巻線と、
一端側結線部が第５セグメントに結線されると共に、他端側結線部が第２０セグメントに結線され、かつ、該一端側結線部及び他端側結線部の間に、第１ティースの第１分岐部及び第２ティースの第２分岐部に亘って分布巻きされた第１３コイル部と、第１１ティースの第１分岐部及び第１２ティースの第２分岐部に亘って分布巻きされた第２３コイル部と、第９ティースの第１分岐部及び第１０ティースの第２分岐部に亘って分布巻きされた第２１コイル部とを有する第４外側巻線と、
を含む、
直流モータ。
【請求項４】
回転軸と、
前記回転軸の周囲に設けられた環状部と、前記環状部の径方向外側へ延びる軸部を有すると共に該軸部の先端から分岐された第１分岐部及び第２分岐部を有し前記環状部の周方向に配列された複数のティースと、を有する電機子コアと、
前記回転軸の周方向に沿って配列された複数のセグメントを有する整流子と、
前記複数のセグメントのうちの二つのセグメントにそれぞれ結線された一端側結線部及び他端側結線部を有すると共に、該一端側結線部及び他端側結線部の間に、前記ティースの軸部に集中巻きされた複数の内側コイル部をそれぞれ有する複数の内側巻線と、
前記複数のセグメントのうちの二つのセグメントにそれぞれ結線された一端側結線部及び他端側結線部を有すると共に、該一端側結線部及び他端側結線部の間に、隣り合う前記ティースのうち一方の前記ティースの第１分岐部と他方の前記ティースの第２分岐部とに亘って分布巻きされた複数の外側コイル部をそれぞれ有する複数の外側巻線と、
を備える電機子を製造する電機子の製造方法において、
一対のフライヤのうち一方のフライヤから供給される第１導線の一端側を前記複数のセグメントのうち一のセグメントに結線した後に、前記第１導線を前記複数のティースのうち一のティースの軸部に集中巻きして前記内側コイル部を形成する作業を複数回行ってから、前記第１導線の他端側を前記複数のセグメントのうち他のセグメントに結線して第１内側巻線を形成すると共に、
前記一対のフライヤのうち他方のフライヤから供給される第２導線の一端側を前記複数のセグメントのうち他のセグメントに結線した後に、前記第２導線を前記複数のティースのうち他のティースの軸部に集中巻きして前記内側コイル部を形成する作業を複数回行ってから、前記第２導線の他端側を前記複数のセグメントのうち他のセグメントに結線して第２内側巻線を形成する第１内側巻線巻回工程と、
前記一方のフライヤから供給される前記第１導線の一端側を前記複数のセグメントのうち一のセグメントに結線した後に、前記第１導線を前記複数のティースのうち一のティースの軸部に集中巻きして前記内側コイル部を形成する作業を複数回行ってから、前記第１導線の他端側を前記複数のセグメントのうち他のセグメントに結線して第３内側巻線を形成すると共に、
前記他方のフライヤから供給される前記第２導線の一端側を前記複数のセグメントのうち他のセグメントに結線した後に、前記第２導線を前記複数のティースのうち他のティースの軸部に集中巻きして前記内側コイル部を形成する作業を複数回行ってから、前記第２導線の他端側を前記複数のセグメントのうち他のセグメントに結線して第４内側巻線を形成する第２内側巻線巻回工程と、
前記一方のフライヤから供給される前記第１導線の一端側を前記複数のセグメントのうち一のセグメントに結線した後に、前記第１導線を隣り合う前記ティースのうち一方の第１分岐部及び他方の前記ティースの第２分岐部に亘って分布巻きする作業を複数回行ってから、前記第１導線の他端側を前記複数のセグメントのうち他のセグメントに結線して第１外側巻線を形成すると共に、
前記他方のフライヤから供給される前記第２導線の一端側を前記複数のセグメントのうち一のセグメントに結線した後に、前記第２導線を隣り合う前記ティースのうち一方の第１分岐部及び他方の前記ティースの第２分岐部に亘って分布巻きする作業を複数回行ってから、前記第２導線の他端側を前記複数のセグメントのうち他のセグメントに結線して第２外側巻線を形成する第１外側巻線巻回工程と、
前記一方のフライヤから供給される前記第１導線の一端側を前記複数のセグメントのうち一のセグメントに結線した後に、前記第１導線を隣り合う前記ティースのうち一方の第１分岐部及び他方の前記ティースの第２分岐部に亘って分布巻きする作業を複数回行ってから、前記第１導線の他端側を前記複数のセグメントのうち他のセグメントに結線して第３外側巻線を形成すると共に、
前記他方のフライヤから供給される前記第２導線の一端側を前記複数のセグメントのうち一のセグメントに結線した後に、前記第２導線を隣り合う前記ティースのうち一方の第１分岐部及び他方の前記ティースの第２分岐部に亘って分布巻きする作業を複数回行ってから、前記第２導線の他端側を前記複数のセグメントのうち他のセグメントに結線して第４外側巻線を形成する第２外側巻線巻回工程と、
を備える電機子の製造方法。
【請求項５】
請求項１に記載の電機子を製造する電機子の製造方法であって、
一対のフライヤのうち一方のフライヤから供給される第１導線の一端側を前記第１セグメントに結線した後に、前記第１導線を前記第１２ティースの軸部に集中巻きして前記第１２コイル部を形成し、次いで、前記第１導線を前記第２ティースの軸部に集中巻きして前記第２コイル部を形成し、次いで、前記第１導線を前記第４ティースの軸部に集中巻きして前記第４コイル部を形成してから、前記第１導線の他端側を前記第１０セグメントに結線して前記第１内側巻線を形成すると共に、
前記一対のフライヤのうち他方のフライヤから供給される第２導線の一端側を前記第１３セグメントに結線した後に、前記第２導線を前記第６ティースの軸部に集中巻きして前記第６コイル部を形成し、次いで、前記第１導線を前記第８ティースの軸部に集中巻きして前記第８コイル部を形成し、次いで、前記第１導線を前記第１０ティースの軸部に集中巻きして前記第１０コイル部を形成してから、前記第２導線の他端側を前記第２２セグメントに結線して前記第２内側巻線を形成する第１内側巻線巻回工程と、
前記一方のフライヤから供給される前記第１導線の一端側を前記第１２セグメントに結線した後に、前記第１導線を前記第７ティースの軸部に集中巻きして前記第７コイル部を形成し、次いで、前記第１導線を前記第５ティースの軸部に集中巻きして前記第５コイル部を形成し、次いで、前記第１導線を前記第３ティースの軸部に集中巻きして前記第３コイル部を形成してから、前記第１導線の他端側を前記第３セグメントに結線して前記第３内側巻線を形成すると共に、
前記他方のフライヤから供給される前記第２導線の一端側を前記第２４セグメントに結線した後に、前記第２導線を前記第１ティースの軸部に集中巻きして前記第１コイル部を形成し、次いで、前記第１導線を前記第１１ティースの軸部に集中巻きして前記第１１コイル部を形成し、次いで、前記第１導線を前記第９ティースの軸部に集中巻きして前記第９コイル部を形成してから、前記第２導線の他端側を前記第１５セグメントに結線して前記第４内側巻線を形成する第２内側巻線巻回工程と、
前記一方のフライヤから供給される前記第１導線の一端側を前記第３セグメントに結線した後に、前記第１導線を前記第１２ティースの第１分岐部及び前記第１ティースの第２分岐部に亘って分布巻きして前記第２４コイル部を形成し、次いで、前記第１導線を前記第１０ティースの第１分岐部及び前記第１１ティースの第２分岐部に亘って分布巻きして前記第２２コイル部を形成し、次いで、前記第１導線を前記第８ティースの第１分岐部及び前記第９ティースの第２分岐部に亘って分布巻きして前記第２０コイル部を形成してから、前記第１導線の他端側を前記第１８セグメントに結線して前記第１外側巻線を形成すると共に、
前記他方のフライヤから供給される前記第２導線の一端側を前記第１５セグメントに結線した後に、前記第２導線を前記第６ティースの第１分岐部及び前記第７ティースの第２分岐部に亘って分布巻きして前記第１８コイル部を形成し、次いで、前記第２導線を前記第４ティースの第１分岐部及び前記第５ティースの第２分岐部に亘って分布巻きして前記第１６コイル部を形成し、次いで、前記第２導線を前記第２ティースの第１分岐部及び前記第３ティースの第２分岐部に亘って分布巻きして前記第１４コイル部を形成してから、前記第２導線の他端側を前記第６セグメントに結線して前記第２外側巻線を形成する第１外側巻線巻回工程と、
前記一方のフライヤから供給される前記第１導線の一端側を前記第１７セグメントに結線した後に、前記第１導線を前記第７ティースの第１分岐部及び前記第８ティースの第２分岐部に亘って分布巻きして前記第１９コイル部を形成し、次いで、前記第１導線を前記第５ティースの第１分岐部及び前記第６ティースの第２分岐部に亘って分布巻きして前記第１７コイル部を形成し、次いで、前記第１導線を前記第３ティースの第１分岐部及び前記第４ティースの第２分岐部に亘って分布巻きして前記第１５コイル部を形成してから、前記第１導線の他端側を前記第８セグメントに結線して前記第３外側巻線を形成すると共に、
前記他方のフライヤから供給される前記第２導線の一端側を前記第５セグメントに結線した後に、前記第２導線を前記第１ティースの第１分岐部及び前記第２ティースの第２分岐部に亘って分布巻きして前記第１３コイル部を形成し、次いで、前記第２導線を前記第１１ティースの第１分岐部及び前記第１２ティースの第２分岐部に亘って分布巻きして前記第２３コイル部を形成し、次いで、前記第２導線を前記第９ティースの第１分岐部及び前記第１０ティースの第２分岐部に亘って分布巻きして前記第２１コイル部を形成してから、前記第２導線の他端側を前記第２０セグメントに結線して前記第４外側巻線を形成する第２外側巻線巻回工程と、
を備える電機子の製造方法。
【請求項６】
前記第２外側巻線巻回工程の後に、前記第１導線における前記第１０セグメント及び前記第１２セグメント間の部分と、前記第２導線における前記第２２セグメント及び前記第２４セグメント間の部分と、前記第１導線における前記第１８セグメント及び前記第１７セグメント間の部分と、前記第２導線における前記第６セグメント及び前記第５セグメント間の部分を切断する切断工程をさらに備える、
請求項５に記載の電機子の製造方法。
【請求項７】
請求項２に記載の電機子を製造する製造方法であって、
一対のフライヤのうち一方のフライヤから供給される第１導線の一端側を前記第１セグメントに結線した後に、前記第１導線を前記第８ティースの軸部に集中巻きして前記第８コイル部を形成し、次いで、前記第１導線を前記第２ティースの軸部に集中巻きして前記第２コイル部を形成してから、前記第１導線の他端側を前記第２セグメントに結線して前記第１内側巻線を形成すると共に、
前記一対のフライヤのうち他方のフライヤから供給される第２導線の一端側を前記第７セグメントに結線した後に、前記第２導線を前記第３ティースの軸部に集中巻きして前記第３コイル部を形成し、次いで、前記第１導線を前記第５ティースの軸部に集中巻きして前記第５コイル部を形成してから、前記第２導線の他端側を前記第８セグメントに結線して前記第２内側巻線を形成する第１内側巻線巻回工程と、
前記一方のフライヤから供給される前記第１導線の一端側を前記第１４セグメントに結線した後に、前記第１導線を前記第６ティースの軸部に集中巻きして前記第６コイル部を形成し、次いで、前記第１導線を前記第４ティースの軸部に集中巻きして前記第４コイル部を形成してから、前記第１導線の他端側を前記第５セグメントに結線して前記第３内側巻線を形成すると共に、
前記他方のフライヤから供給される前記第２導線の一端側を前記第４セグメントに結線した後に、前記第２導線を前記第１ティースの軸部に集中巻きして前記第１コイル部を形成し、次いで、前記第１導線を前記第７ティースの軸部に集中巻きして前記第７コイル部を形成してから、前記第２導線の他端側を前記第１１セグメントに結線して前記第４内側巻線を形成する第２内側巻線巻回工程と、
前記一方のフライヤから供給される前記第１導線の一端側を前記第１３セグメントに結線した後に、前記第１導線を前記第６ティースの第２分岐部及び前記第５ティースの第１分岐部に亘って分布巻きして前記第１３コイル部を形成し、次いで、前記第１導線を前記第８ティースの第２分岐部及び前記第７ティースの第１分岐部に亘って分布巻きして前記第１５コイル部を形成してから、前記第１導線の他端側を前記第１２セグメントに結線して前記第１外側巻線を形成すると共に、
前記他方のフライヤから供給される前記第２導線の一端側を前記第３セグメントに結線した後に、前記第２導線を前記第１ティースの第２分岐部及び前記第８ティースの第１分岐部に亘って分布巻きして前記第１６コイル部を形成し、次いで、前記第２導線を前記第３ティースの第２分岐部及び前記第２ティースの第１分岐部に亘って分布巻きして前記第１０コイル部を形成してから、前記第２導線の他端側を前記第１０セグメントに結線して前記第２外側巻線を形成する第１外側巻線巻回工程と、
前記一方のフライヤから供給される前記第１導線の一端側を前記第９セグメントに結線した後に、前記第１導線を前記第３ティースの第１分岐部及び前記第４ティースの第２分岐部に亘って分布巻きして前記第１１コイル部を形成し、次いで、前記第１導線を前記第１ティースの第１分岐部及び前記第２ティースの第２分岐部に亘って分布巻きして前記第９コイル部を形成してから、前記第１導線の他端側を前記第１６セグメントに結線して前記第３外側巻線を形成すると共に、
前記他方のフライヤから供給される前記第２導線の一端側を前記第１５セグメントに結線した後に、前記第２導線を前記第６ティースの第１分岐部及び前記第７ティースの第２分岐部に亘って分布巻きして前記第１４コイル部を形成し、次いで、前記第２導線を前記第４ティースの第１分岐部及び前記第５ティースの第２分岐部に亘って分布巻きして前記第１２コイル部を形成してから、前記第２導線の他端側を前記第６セグメントに結線して前記第４外側巻線を形成する第２外側巻線巻回工程と、
を備える電機子の製造方法。
【請求項８】
前記第２外側巻線巻回工程の後に、前記第１導線における前記第２セグメント及び前記第１４セグメント間の部分と、前記第２導線における前記第８セグメント及び前記第４セグメント間の部分と、前記第１導線における前記第５セグメント及び前記第１３セグメント間の部分と、前記第２導線における前記第１１セグメント及び前記第３セグメント間の部分と、前記第１導線における前記第１２セグメント及び前記第９セグメント間の部分と、前記第２導線における前記第１０セグメント及び前記第１５セグメント間の部分を切断する切断工程をさらに備える、
請求項７に記載の電機子の製造方法。
【発明の詳細な説明】
【技術分野】
【０００１】
本発明は、電機子、直流モータ、及び、電機子の製造方法に関する。
【背景技術】
【０００２】
従来、複数のティースの先端部が第１分岐部及び第２分岐部に分岐された電機子コアと、各ティースの軸部に集中巻きされた複数の内側コイル部と、隣り合うティースのうち一方のティースの第１分岐部と他方のティースの第２分岐部とに亘って分布巻きされた複数の外側コイル部とを備える電機子がある（例えば、特許文献１参照）。
【先行技術文献】
【特許文献】
【０００３】
【特許文献１】特開２０１０−９８９２７号公報
【発明の概要】
【発明が解決しようとする課題】
【０００４】
しかしながら、従来の電機子では、内側コイル部及び外側コイル部の両端部が整流子のセグメントに結線される。このため、内側コイル部及び外側コイル部を巻回する毎に、セグメントに結線された各コイル部の両端部を切断する必要がある。したがって、導線の切断回数及びターン数の増加により、加工時間が長くなり、コストアップになる。
【０００５】
本発明は、上記問題点を解消するためになされたものであって、その目的は、コストダウンできる電機子、直流モータ、及び、電機子の製造方法を提供することにある。
【課題を解決するための手段】
【０００６】
本発明の電機子は、回転軸と、前記回転軸の周囲に設けられた環状部と、前記環状部の径方向外側へ延びる軸部を有すると共に該軸部の先端から分岐された第１分岐部及び第２分岐部を有し前記環状部の周方向に配列された複数のティースと、を有する電機子コアと、前記回転軸の周方向に沿って配列された複数のセグメントを有する整流子と、前記複数のセグメントのうちの二つのセグメントにそれぞれ結線された一端側結線部及び他端側結線部を有すると共に、該一端側結線部及び他端側結線部の間に、前記ティースの軸部に集中巻きされた複数の内側コイル部をそれぞれ有する複数の内側巻線と、前記複数のセグメントのうちの二つのセグメントにそれぞれ結線された一端側結線部及び他端側結線部を有すると共に、該一端側結線部及び他端側結線部の間に、隣り合う前記ティースのうち一方の前記ティースの第１分岐部と他方の前記ティースの第２分岐部とに亘って分布巻きされた複数の外側コイル部をそれぞれ有する複数の外側巻線と、を備える。
【０００７】
この電機子によれば、各内側巻線における一端側結線部及び他端側結線部の間には、複数の内側コイル部が連続して形成されている。同様に、各外側巻線における一端側結線部及び他端側結線部の間には、複数の外側コイル部が連続して形成されている。したがって、内側コイル部及び外側コイル部の両端部をセグメントに結線する場合に比して、導線の切断回数及びターン数を減らすことができる。これにより、加工時間が短くなるので、コストダウンできる。
【０００８】
本発明の直流モータは、上記本発明の電機子と、前記電機子と対向する複数の永久磁石と、を備える。
【０００９】
この直流モータによれば、上記本発明の電機子を備えるので、コストダウンできる。
【００１０】
本発明の電機子の製造方法は、上記本発明の電機子を製造する電機子の製造方法において、一対のフライヤのうち一方のフライヤから供給される第１導線の一端側を前記複数のセグメントのうち一のセグメントに結線した後に、前記第１導線を前記複数のティースのうち一のティースの軸部に集中巻きして前記内側コイル部を形成する作業を複数回行ってから、前記第１導線の他端側を前記複数のセグメントのうち他のセグメントに結線して前記第１内側巻線を形成すると共に、前記一対のフライヤのうち他方のフライヤから供給される第２導線の一端側を前記複数のセグメントのうち他のセグメントに結線した後に、前記第２導線を前記複数のティースのうち他のティースの軸部に集中巻きして前記内側コイル部を形成する作業を複数回行ってから、前記第２導線の他端側を前記複数のセグメントのうち他のセグメントに結線して前記第２内側巻線を形成する第１内側巻線巻回工程と、前記一方のフライヤから供給される前記第１導線の一端側を前記複数のセグメントのうち一のセグメントに結線した後に、前記第１導線を前記複数のティースのうち一のティースの軸部に集中巻きして前記内側コイル部を形成する作業を複数回行ってから、前記第１導線の他端側を前記複数のセグメントのうち他のセグメントに結線して前記第３内側巻線を形成すると共に、前記他方のフライヤから供給される前記第２導線の一端側を前記複数のセグメントのうち他のセグメントに結線した後に、前記第２導線を前記複数のティースのうち他のティースの軸部に集中巻きして前記内側コイル部を形成する作業を複数回行ってから、前記第２導線の他端側を前記複数のセグメントのうち他のセグメントに結線して前記第４内側巻線を形成する第２内側巻線巻回工程と、前記一方のフライヤから供給される前記第１導線の一端側を前記複数のセグメントのうち一のセグメントに結線した後に、前記第１導線を隣り合う前記ティースのうち一方の第１分岐部及び他方の前記ティースの第２分岐部に亘って分布巻きする作業を複数回行ってから、前記第１導線の他端側を前記複数のセグメントのうち他のセグメントに結線して前記第１外側巻線を形成すると共に、前記他方のフライヤから供給される前記第２導線の一端側を前記複数のセグメントのうち一のセグメントに結線した後に、前記第２導線を隣り合う前記ティースのうち一方の第１分岐部及び他方の前記ティースの第２分岐部に亘って分布巻きする作業を複数回行ってから、前記第２導線の他端側を前記複数のセグメントのうち他のセグメントに結線して前記第２外側巻線を形成する第１外側巻線巻回工程と、前記一方のフライヤから供給される前記第１導線の一端側を前記複数のセグメントのうち一のセグメントに結線した後に、前記第１導線を隣り合う前記ティースのうち一方の第１分岐部及び他方の前記ティースの第２分岐部に亘って分布巻きする作業を複数回行ってから、前記第１導線の他端側を前記複数のセグメントのうち他のセグメントに結線して前記第３外側巻線を形成すると共に、前記他方のフライヤから供給される前記第２導線の一端側を前記複数のセグメントのうち一のセグメントに結線した後に、前記第２導線を隣り合う前記ティースのうち一方の第１分岐部及び他方の前記ティースの第２分岐部に亘って分布巻きする作業を複数回行ってから、前記第２導線の他端側を前記複数のセグメントのうち他のセグメントに結線して前記第４外側巻線を形成する第２外側巻線巻回工程と、を備える。
【００１１】
この電機子の製造方法によれば、各内側巻線における一端側結線部及び他端側結線部の間には、複数の内側コイル部を連続して形成する。同様に、各外側巻線における一端側結線部及び他端側結線部の間には、複数の外側コイル部を連続して形成する。したがって、内側コイル部及び外側コイル部の両端部をセグメントに結線する場合に比して、導線の切断回数及びターン数を減らすことができる。これにより、加工時間が短くなるので、コストダウンできる。
【図面の簡単な説明】
【００１２】
【図１】第１実施形態の直流モータを軸方向から見た断面図である。
【図２】電機子（コイル部は図示省略）を軸方向から見た正面図である。
【図３】各短絡線の結線状態を示す正面図である。
【図４】第１及び第５短絡線の結線順序を示す説明図である。
【図５】第２及び第６短絡線の結線順序を示す説明図である。
【図６】第３及び第７短絡線の結線順序を示す説明図である。
【図７】第４及び第８短絡線の結線順序を示す説明図である。
【図８】（ａ）はαフライヤの巻線巻回工程１〜６の巻回説明図、（ｂ）はβフライヤの巻線巻回工程１〜６の巻回説明図である。
【図９】（ａ）はαフライヤの巻線巻回工程７〜１０の巻回説明図、（ｂ）はβフライヤの巻線巻回工程７〜１０の巻回説明図である。
【図１０】（ａ）はαフライヤの巻線巻回工程１１〜１６の巻回説明図、（ｂ）はβフライヤの巻線巻回工程１１〜１６の巻回説明図である。
【図１１】（ａ）はαフライヤの巻線巻回工程１７〜２０の巻回説明図、（ｂ）はβフライヤの巻線巻回工程１７〜２０の巻回説明図である。
【図１２】導線の切断箇所を説明する図である。
【図１３】第２実施形態の直流モータを軸方向から見た断面図である。
【図１４】電機子（コイル部は図示省略）を軸方向から見た正面図である。
【図１５】（ａ）はαフライヤの巻線巻回工程１〜４の巻回説明図、（ｂ）はβフライヤの巻線巻回工程１〜４の巻回説明図である。
【図１６】（ａ）はαフライヤの巻線巻回工程５〜８の巻回説明図、（ｂ）はβフライヤの巻線巻回工程５〜８の巻回説明図である。
【図１７】（ａ）はαフライヤの巻線巻回工程９〜１５の巻回説明図、（ｂ）はβフライヤの巻線巻回工程９〜１５の巻回説明図である。
【図１８】（ａ）はαフライヤの巻線巻回工程１６〜２０の巻回説明図、（ｂ）はβフライヤの巻線巻回工程１６〜２０の巻回説明図である。
【発明を実施するための形態】
【００１３】
［第１実施形態］
はじめに、本発明の第１実施形態について説明する。
【００１４】
図１に示されるように、本発明の第１実施形態に係る直流モータ３０は、固定子４０と、固定子４０の内側に配置された電機子５０とを備えている。この直流モータ３０は、６極２４スロットモータであり、具体的には、以下の構成とされている。
【００１５】
固定子４０は、略円筒状のヨークハウジング４２と、複数の第１永久磁石ＭＧ１及び第２永久磁石ＭＧ２とを有する。ヨークハウジング４２の内周面には、複数の第１永久磁石ＭＧ１及び第２永久磁石ＭＧ２が周方向に交互に等ピッチ（本実施形態では６０°間隔）で固着されている。複数の第１永久磁石ＭＧ１及び第２永久磁石ＭＧ２の数は、３個ずつとされている。
【００１６】
第１永久磁石ＭＧ１及び第２永久磁石ＭＧ２は、径方向に磁化されている。第１永久磁石ＭＧ１は、径方向内側がＮ極、径方向外側がＳ極とされており、第２永久磁石ＭＧ２は、径方向内側がＳ極、径方向外側がＮ極とされている。
【００１７】
電機子５０は、回転軸５２と、回転軸５２に固定された略円筒状の整流子５４と、回転軸５２に固定された電機子コア５６とを備えている。この電機子５０は、回転軸５２が固定子４０に軸支されることにより固定子４０に対して回転可能とされている。
【００１８】
整流子５４は、回転軸５２に固着された絶縁性樹脂材料よりなる円筒状の保持部材５８と、保持部材５８の外周面に設けられた２４個のセグメントＳとを有する。２４個のセグメントＳは、回転軸５２の周方向に沿って互いに離間して配列されている。
【００１９】
ここで、図２に示されるように、以降、２４個のセグメントのそれぞれを特定する場合には、この２４個のセグメントを、整流子５４の周方向の時計回りに順番に第１セグメントＳ１〜第２４セグメントＳ２４と称する。この第１セグメントＳ１〜第２４セグメントＳ２４は、周方向に等ピッチ（１５°間隔）で配置されている。
【００２０】
図１に二点鎖線で示すように、整流子５４の径方向外側には、陽極側ブラシＢ１及び陰極側ブラシＢ２が２４個のセグメントＳに摺接可能に配置されている。陽極側ブラシＢ１及び陰極側ブラシＢ２は、周方向に１８０°対向する位置に配置されている。陽極側ブラシＢ１は、第１永久磁石ＭＧ１の周方向中心位置と対応する位置に配置され、陰極側ブラシＢ２は、第２永久磁石ＭＧ２の周方向中心位置と対応する位置に配置されている。整流子５４には、陽極側ブラシＢ１及び陰極側ブラシＢ２を介して電流が供給される。
【００２１】
図３に示されるように、セグメントＳ１〜Ｓ２４のうち、Ｎ極（又はＳ極）の角度間隔と同じ角度間隔（本実施形態では１２０°間隔）で配置されたセグメント同士は、短絡線によって短絡されている。すなわち、１２０°間隔で配置された３つのセグメントＳは、１つの組となってそれぞれ対応する第１短絡線Ｌ１〜第８短絡線Ｌ８によって互いに短絡されて同電位とされる。
【００２２】
具体的には、第１、第１７、第９セグメントＳ１，Ｓ１７，Ｓ９の組は、第１短絡線Ｌ１によって互いに短絡されて同電位とされ（図４も参照）、第１０、第２、第１８セグメントＳ１０，Ｓ２，Ｓ１８の組は、第２短絡線Ｌ２によって互いに短絡されて同電位とされる（図５も参照）。
【００２３】
また、第１９、第１１、第３セグメントＳ１９，Ｓ１１，Ｓ３の組は、第３短絡線Ｌ３によって互いに短絡されて同電位とされ（図６も参照）、第４、第２０、第１２セグメントＳ４，Ｓ２０，Ｓ１２の組は、第４短絡線Ｌ４によって互いに短絡されて同電位とされる（図７も参照）。
【００２４】
また、第１３、第５、第２１セグメントＳ１３，Ｓ５，Ｓ２１の組は、第５短絡線Ｌ５によって互いに短絡されて同電位とされ（図４も参照）、第２２、第１４、第６セグメントＳ２２，Ｓ１４，Ｓ６の組は、第６短絡線Ｌ６によって互いに短絡されて同電位とされる（図５も参照）。
【００２５】
また、第７、第２３、第１５セグメントＳ７，Ｓ２３，Ｓ１５の組は、第７短絡線Ｌ７によって互いに短絡されて同電位とされ（図６も参照）、第１６、第８、第２４セグメントＳ１６，Ｓ８，Ｓ２４の組は、第８短絡線Ｌ８によって互いに短絡されて同電位とされる（図７も参照）。
【００２６】
図１に示されるように、電機子コア５６には、回転軸５２の周囲に設けられた環状部６０と、環状部６０から該環状部６０の径方向外側へ延びる１２個のティースＴとが一体に形成されている。１２個のティースＴは、環状部６０の周方向に配列されている。
【００２７】
各ティースＴは、第１分岐部Ｔａ及び第２分岐部Ｔｂと、軸部Ｔｃとを有する。軸部Ｔｃは、環状部６０の径方向外側へ延びており、第１分岐部Ｔａ及び第２分岐部Ｔｂは、軸部Ｔｃの先端から分岐されている。各ティースＴにおいて、第１分岐部Ｔａは、電機子コア５６の周方向一方側（時計回り方向）に位置され、第２分岐部Ｔｂは、電機子コア５６の周方向他方側（反時計回り方向）に位置されている。
【００２８】
ここで、図２に示されるように、以降、１２個のティースのそれぞれを特定する場合には、この１２個のティースを、電機子コア５６の周方向の時計回りに順番に第１ティースＴ１〜第１２ティースＴ１２と称する。また、第１ティースＴ１〜第１２ティースＴ１２の第１分岐部Ｔａ及び第２分岐部Ｔｂを、第１分岐部Ｔ１ａ〜第１分岐部Ｔ１２ａ及び第２分岐部Ｔ１ｂ〜第１分岐部Ｔ１２ｂと称する。さらに、第１ティースＴ１〜第１２ティースＴ１２の軸部Ｔｃを、軸部Ｔ１ｃ〜軸部Ｔ１２ｃと称する。
【００２９】
図２に示されるように、１２本の第１ティースＴ１〜第１２ティースＴ１２は、電機子コア５６の周方向に等ピッチ（３０°間隔）で配列されている。また、この第１ティースＴ１〜第１２ティースＴ１２は、第１セグメントＳ１〜第２４セグメントＳ２４のうち２個のセグメントがそれぞれ径方向において対向するように配置されている。
【００３０】
具体的には、図２に示されるように、第１ティースＴ１には、第１及び第２セグメントＳ１，Ｓ２がそれぞれ対向し、第２ティースＴ２には、第３及び第４セグメントＳ３，Ｓ４がそれぞれ対向し、第３ティースＴ３には、第５及び第６セグメントＳ５，Ｓ６がそれぞれ対向し、第４ティースＴ４には、第７及び第８セグメントＳ７，Ｓ８がそれぞれ対向する。
【００３１】
また、第５ティースＴ５には、第９及び第１０セグメントＳ９，Ｓ１０がそれぞれ対向し、第６ティースＴ６には、第１１及び第１２セグメントＳ１１，Ｓ１２がそれぞれ対向し、第７ティースＴ７には、第１３及び第１４セグメントＳ１３，Ｓ１４がそれぞれ対向し、第８ティースＴ８には、第１５及び第１６セグメントＳ１５，Ｓ１６がそれぞれ対向する。
【００３２】
さらに、第９ティースＴ９には、第１７及び第１８セグメントＳ１７，Ｓ１８がそれぞれ対向し、第１０ティースＴ１０には、第１９及び第２０セグメントＳ１９，Ｓ２０がそれぞれ対向し、第１１ティースＴ１１には、第２１及び第２２セグメントＳ２１，Ｓ２２がそれぞれ対向し、第１２ティースＴ１２には、第２３及び第２４セグメントＳ２３，Ｓ２４がそれぞれ対向する。
【００３３】
また、図１に示されるように、２４個のティースＴに一対の第１分岐部Ｔａ及び第２分岐部Ｔｂがそれぞれ形成されることによって、電機子コア５６には、２４個のスロットＳＬが形成されている。このスロットＳＬは、各ティースＴにおける第１分岐部Ｔａ及び第２分岐部Ｔｂの間、及び、隣り合うティースＴのうち一方のティースＴの第１分岐部Ｔａと他方のティースＴの第２分岐部Ｔｂとの間にそれぞれ形成されている。
【００３４】
ここで、説明の便宜上、電機子コア５６に形成される２４個のスロットを、スロット番号「１」〜「２４」で特定し、その番号を図２、図８〜図１１に付す。
【００３５】
図１に示されるように、本実施形態において、一対の第１分岐部Ｔａ及び第２分岐部Ｔｂの周方向の幅は、軸部Ｔｃの周方向の幅の半分とされている。また、各ティースＴにおける第１分岐部Ｔａ及び第２分岐部Ｔｂの間に形成されたスロットＳＬの幅方向中央の位置は、その中央位置と回転軸５２の中心軸線を結ぶ線上に隣り合う２個のセグメントＳの間の中央位置が位置するように設定されている。
【００３６】
具体的には、図２に示されるように、第１ティースＴ１の第１及び第２分岐部Ｔ１ａ，Ｔ１ｂの間のスロット番号「２」のスロットの中央位置と回転軸５２の中心軸線を結ぶ線上には、第１及び第２セグメントＳ１，Ｓ２の間の中央位置が位置する。
【００３７】
また、第２ティースＴ２の第１及び第２分岐部Ｔ２ａ，Ｔ２ｂの間のスロット番号「４」のスロットの中央位置と回転軸５２の中心軸線を結ぶ線上には、第３及び第４セグメントＳ３，Ｓ４の間の中央位置が位置する。
【００３８】
また、第３ティースＴ３の第１及び第２分岐部Ｔ３ａ，Ｔ３ｂの間のスロット番号「６」のスロットの中央位置と回転軸５２の中心軸線を結ぶ線上には、第５及び第６セグメントＳ５，Ｓ６の間の中央位置が位置する。
【００３９】
また、第４ティースＴ４の第１及び第２分岐部Ｔ４ａ，Ｔ４ｂの間のスロット番号「８」のスロットの中央位置と回転軸５２の中心軸線を結ぶ線上には、第７及び第８セグメントＳ７，Ｓ８の間の中央位置が位置する。
【００４０】
また、第５ティースＴ５の第１及び第２分岐部Ｔ５ａ，Ｔ５ｂの間のスロット番号「１０」のスロットの中央位置と回転軸５２の中心軸線を結ぶ線上には、第９及び第１０セグメントＳ９，Ｓ１０の間の中央位置が位置する。
【００４１】
また、第６ティースＴ６の第１及び第２分岐部Ｔ６ａ，Ｔ６ｂの間のスロット番号「１２」のスロットの中央位置と回転軸５２の中心軸線を結ぶ線上には、第１１及び第１２セグメントＳ１１，Ｓ１２の間の中央位置が位置する。
【００４２】
また、第７ティースＴ７の第１及び第２分岐部Ｔ７ａ，Ｔ７ｂの間のスロット番号「１４」のスロットの中央位置と回転軸５２の中心軸線を結ぶ線上には、第１３及び第１４セグメントＳ１３，Ｓ１４の間の中央位置が位置する。
【００４３】
また、第８ティースＴ８の第１及び第２分岐部Ｔ８ａ，Ｔ８ｂの間のスロット番号「１６」のスロットの中央位置と回転軸５２の中心軸線を結ぶ線上には、第１５及び第１６セグメントＳ１５，Ｓ１６の間の中央位置が位置する。
【００４４】
また、第９ティースＴ９の第１及び第２分岐部Ｔ９ａ，Ｔ９ｂの間のスロット番号「１８」のスロットの中央位置と回転軸５２の中心軸線を結ぶ線上には、第１７及び第１８セグメントＳ１７，Ｓ１８の間の中央位置が位置する。
【００４５】
また、第１０ティースＴ１０の第１及び第２分岐部Ｔ１０ａ，Ｔ１０ｂの間のスロット番号「２０」のスロットの中央位置と回転軸５２の中心軸線を結ぶ線上には、第１９及び第２０セグメントＳ１９，Ｓ２０の間の中央位置が位置する。
【００４６】
また、第１１ティースＴ１１の第１及び第２分岐部Ｔ１１ａ，Ｔ１１ｂの間のスロット番号「２２」のスロットの中央位置と回転軸５２の中心軸線を結ぶ線上には、第２１及び第２２セグメントＳ２１，Ｓ２２の間の中央位置が位置する。
【００４７】
また、第１２ティースＴ１２の第１及び第２分岐部Ｔ１２ａ，Ｔ１２ｂの間のスロット番号「２４」のスロットの中央位置と回転軸５２の中心軸線を結ぶ線上には、第２３及び第２４セグメントＳ２３，Ｓ２４の間の中央位置が位置する。
【００４８】
また、本実施形態において、隣り合うティースＴのうち一方のティースＴの第１分岐部Ｔａと他方のティースＴの第２分岐部Ｔｂとの間に形成されたスロットＳＬの中央位置は、その中央位置と回転軸５２の中心軸線を結ぶ線上に、隣り合うセグメントＳの間の中央位置が位置するようになっている。
【００４９】
具体的には、図２に示されるように、第１ティースＴ１の第１分岐部Ｔ１ａ及び第２ティースＴ２の第２分岐部Ｔ２ｂの間のスロット番号「３」のスロットの中央位置と回転軸５２の中心軸線を結ぶ線上には、第２及び第３セグメントＳ２，Ｓ３の間の中央位置が位置する。
【００５０】
また、第２ティースＴ２の第１分岐部Ｔ２ａ及び第３ティースＴ３の第２分岐部Ｔ３ｂの間のスロット番号「５」のスロットの中央位置と回転軸５２の中心軸線を結ぶ線上には、第４及び第５セグメントＳ４，Ｓ５の間の中央位置が位置する。
【００５１】
また、第３ティースＴ３の第１分岐部Ｔ３ａ及び第４ティースＴ４の第２分岐部Ｔ４ｂの間のスロット番号「７」のスロットの中央位置と回転軸５２の中心軸線を結ぶ線上には、第６及び第７セグメントＳ６，Ｓ７の間の中央位置が位置する。
【００５２】
また、第４ティースＴ４の第１分岐部Ｔ４ａ及び第５ティースＴ５の第２分岐部Ｔ５ｂの間のスロット番号「９」のスロットの中央位置と回転軸５２の中心軸線を結ぶ線上には、第８及び第９セグメントＳ８，Ｓ９の間の中央位置が位置する。
【００５３】
また、第５ティースＴ５の第１分岐部Ｔ５ａ及び第６ティースＴ６の第２分岐部Ｔ６ｂの間のスロット番号「１１」のスロットの中央位置と回転軸５２の中心軸線を結ぶ線上には、第１０及び第１１セグメントＳ１０，Ｓ１１の間の中央位置が位置する。
【００５４】
また、第６ティースＴ６の第１分岐部Ｔ６ａ及び第７ティースＴ７の第２分岐部Ｔ７ｂの間のスロット番号「１３」のスロットの中央位置と回転軸５２の中心軸線を結ぶ線上には、第１２及び第１３セグメントＳ１２，Ｓ１３の間の中央位置が位置する。
【００５５】
また、第７ティースＴ７の第１分岐部Ｔ７ａ及び第８ティースＴ８の第２分岐部Ｔ８ｂの間のスロット番号「１５」のスロットの中央位置と回転軸５２の中心軸線を結ぶ線上には、第１４及び第１５セグメントＳ１４，Ｓ１５の間の中央位置が位置する。
【００５６】
また、第８ティースＴ８の第１分岐部Ｔ８ａ及び第９ティースＴ９の第２分岐部Ｔ９ｂの間のスロット番号「１７」のスロットの中央位置と回転軸５２の中心軸線を結ぶ線上には、第１６及び第１７セグメントＳ１６，Ｓ１７の間の中央位置が位置する。
【００５７】
また、第９ティースＴ９の第１分岐部Ｔ９ａ及び第１０ティースＴ１０の第２分岐部Ｔ１０ｂの間のスロット番号「１９」のスロットの中央位置と回転軸５２の中心軸線を結ぶ線上には、第１８及び第１９セグメントＳ１８，Ｓ１９の間の中央位置が位置する。
【００５８】
また、第１０ティースＴ１０の第１分岐部Ｔ１０ａ及び第１１ティースＴ１１の第２分岐部Ｔ１１ｂの間のスロット番号「２１」のスロットの中央位置と回転軸５２の中心軸線を結ぶ線上には、第２０及び第２１セグメントＳ２０，Ｓ２１の間の中央位置が位置する。
【００５９】
また、第１１ティースＴ１１の第１分岐部Ｔ１１ａ及び第１２ティースＴ１２の第２分岐部Ｔ１２ｂの間のスロット番号「２３」のスロットの中央位置と回転軸５２の中心軸線を結ぶ線上には、第２２及び第２３セグメントＳ２２，Ｓ２３の間の中央位置が位置する。
【００６０】
また、第１２ティースＴ１２の第１分岐部Ｔ１２ａ及び第１ティースＴ１の第２分岐部Ｔ１ｂの間のスロット番号「１」のスロットの中央位置と回転軸５２の中心軸線を結ぶ線上には、第２４及び第１セグメントＳ２４，Ｓ１の間の中央位置が位置する。
【００６１】
以上の構成とされた電機子コア５６の各ティースＴ１〜Ｔ１２には、図１に示されるように、コイル部が巻回されている。
【００６２】
ここで、説明の便宜上、各ティースＴの軸部Ｔｃに巻回されている内側のコイル部（内側コイル部）については、図２に示される第１ティースＴ１の軸部Ｔ１ｃに巻回されているコイル部から第１２ティースＴ１２の軸部Ｔ１２ｃに巻回されているコイル部までを順番に第１コイル部Ｃ１〜第１２コイル部Ｃ１２と称する。
【００６３】
また、隣り合うティースＴのうち一方のティースＴの第１分岐部Ｔａと他方のティースＴの第２分岐部Ｔｂとに亘って巻回された外側のコイル部（外側コイル部）については、図２に示される第１ティースＴ１の第１分岐部Ｔ１ａと第２ティースＴ２の第２分岐部Ｔ２ｂとに亘って巻回されたコイル部から第１２ティースＴ１２の第１分岐部Ｔ１２ａと第１ティースＴ１の第２分岐部Ｔ１ｂとに亘って巻回されたコイル部までを順番に第１３コイル部Ｃ１３〜第２４コイル部Ｃ２４と称する。
【００６４】
なお、各ティースＴの軸部Ｔｃに巻回された第１コイル部Ｃ１〜第１２コイル部Ｃ１２は、集中巻きとされる。また、隣り合うティースＴのうち一方のティースＴの第１分岐部Ｔａと他方のティースＴの第２分岐部Ｔｂとに亘って巻回された第１３コイル部Ｃ１３〜第２４コイル部Ｃ２４は、分布巻きとされる。
【００６５】
（短絡線結線工程）
次に、第１短絡線Ｌ１〜第８短絡線Ｌ８の結線方法について、表１に示される短絡線結線工程表と、図４〜図７に示される短絡線結線図に従って説明する。
【００６６】
【表１】
0006459764.tif 000002
【００６７】
本実施形態では、表１に示される短絡線結線工程表と、図４〜図７に示される結線図から明らかなように、１８０°対向する位置に配置された一方の短絡線と他方の短絡線を同時に結線していく方法でダブルフライヤ巻線機が用いられる。
【００６８】
表１に示されるように、ダブルフライヤ巻線機では、αフライヤとβフライヤが分担して第１短絡線Ｌ１〜第８短絡線Ｌ８を結線する。このダブルフライヤ巻線機では、αフライヤとβフライヤによって結線作業が同時に行われる。
【００６９】
「短絡線結線工程１」（セグメント：Ｓ１→Ｓ１７→Ｓ９、Ｓ１３→Ｓ５→Ｓ２１）
図４に示されるように、αフライヤは、絶縁被膜された第１導線Ｗ１の一端側を、第１セグメントＳ１のライザＲに引っ掛けて掛け止めした後、反時計回り方向に１２０°離間した第１７セグメントＳ１７まで反時計回り方向に引き回す。そして、αフライヤは、引き回した第１導線Ｗ１を、該第１７セグメントＳ１７のライザＲにクロスさせて引っ掛ける。αフライヤは、該第１７セグメントＳ１７のライザＲに引っ掛けた第１導線Ｗ１を、反時計回り方向に１２０°離間した第９セグメントＳ９まで反時計回り方向に引き回し該第９セグメントＳ９のライザＲに引っ掛けて掛け止めする。
【００７０】
一方、βフライヤは、絶縁被膜された第２導線Ｗ２の一端側を、第１３セグメントＳ１３のライザＲに引っ掛けて掛け止めした後、反時計回り方向に１２０°離間した第５セグメントＳ５まで反時計回り方向に引き回す。そして、βフライヤは、引き回した第２導線Ｗ２を、該第５セグメントＳ５のライザＲにクロスさせて引っ掛ける。βフライヤは、該第５セグメントＳ５のライザＲに引っ掛けた第２導線Ｗ２を、反時計回り方向に１２０°離間した第２１セグメントＳ２１まで反時計回り方向に引き回し該第２１セグメントＳ２１のライザＲに引っ掛けて掛け止めする。
【００７１】
「短絡線結線工程２」（切断）
αフライヤは、第９セグメントＳ９のライザＲに掛け止めした第１導線Ｗ１を切断する。これによって、その中間部（非端末部）が第１７セグメントＳ１７のライザＲに引っ掛けられた第１導線Ｗ１は、その一端側が第１セグメントＳ１のライザＲに掛け止めされ、その他端側が第９セグメントＳ９のライザＲに掛け止めされた第１短絡線Ｌ１となる。
【００７２】
βフライヤは、第２１セグメントＳ２１のライザＲに掛け止めした第２導線Ｗ２を切断する。これによって、その中間部（非端末部）が第５セグメントＳ５のライザＲに引っ掛けられた第２導線Ｗ２は、その一端側が第１３セグメントＳ１３のライザＲに掛け止めされ、その他端側が第２１セグメントＳ２１のライザＲに掛け止めされた第５短絡線Ｌ５となる。
【００７３】
「短絡線結線工程３」（セグメント：Ｓ１０→Ｓ２→Ｓ１８、Ｓ２２→Ｓ１４→Ｓ６）
図５に示されるように、αフライヤは、切断した第１導線Ｗ１の一端側を、第１０セグメントＳ１０のライザＲに引っ掛けて掛け止めした後、反時計回り方向に１２０°離間した第２セグメントＳ２まで反時計回り方向に引き回す。そして、αフライヤは、引き回した第１導線Ｗ１を、該第２セグメントＳ２のライザＲにクロスさせて引っ掛ける。αフライヤは、該第２セグメントＳ２のライザＲに引っ掛けた第１導線Ｗ１を、反時計回り方向に１２０°離間した第１８セグメントＳ１８まで反時計回り方向に引き回し該第１８セグメントＳ１８のライザＲに引っ掛けて掛け止めする。
【００７４】
一方、βフライヤは、切断した第２導線Ｗ２の一端側を、第２２セグメントＳ２２のライザＲに引っ掛けて掛け止めした後、反時計回り方向に１２０°離間した第１４セグメントＳ１４まで反時計回り方向に引き回す。そして、βフライヤは、引き回した第２導線Ｗ２を、該第１４セグメントＳ１４のライザＲにクロスさせて引っ掛ける。βフライヤは、該第１４セグメントＳ１４のライザＲに引っ掛けた第２導線Ｗ２を、反時計回り方向に１２０°離間した第６セグメントＳ６まで反時計回り方向に引き回し該第６セグメントＳ６のライザＲに引っ掛けて掛け止めする。
【００７５】
「短絡線結線工程４」（切断）
αフライヤは、第１８セグメントＳ１８のライザＲに掛け止めした第１導線Ｗ１を切断する。これによって、その中間部（非端末部）が第２セグメントＳ２のライザＲに引っ掛けられた第１導線Ｗ１は、その一端側が第１０セグメントＳ１０のライザＲに掛け止めされ、その他端側が第１８セグメントＳ１８のライザＲに掛け止めされた第２短絡線Ｌ２となる。
【００７６】
βフライヤは、第６セグメントＳ６のライザＲに掛け止めした第２導線Ｗ２を切断する。これによって、その中間部（非端末部）が第１４セグメントＳ１４のライザＲに引っ掛けられた第２導線Ｗ２は、その一端側が第２２セグメントＳ２２のライザＲに掛け止めされ、その他端側が第６セグメントＳ６のライザＲに掛け止めされた第６短絡線Ｌ６となる。
【００７７】
「短絡線結線工程５」（セグメント：Ｓ１９→Ｓ１１→Ｓ３、Ｓ７→Ｓ２３→Ｓ１５）
図６に示されるように、αフライヤは、切断した第１導線Ｗ１の一端側を、第１９セグメントＳ１９のライザＲに引っ掛けて掛け止めした後、反時計回り方向に１２０°離間した第１１セグメントＳ１１まで反時計回り方向に引き回す。そして、αフライヤは、引き回した第１導線Ｗ１を、該第１１セグメントＳ１１のライザＲにクロスさせて引っ掛ける。αフライヤは、該第１１セグメントＳ１１のライザＲに引っ掛けた第１導線Ｗ１を、反時計回り方向に１２０°離間した第３セグメントＳ３まで反時計回り方向に引き回し該第３セグメントＳ３のライザＲに引っ掛けて掛け止めする。
【００７８】
一方、βフライヤは、切断した第２導線Ｗ２の一端側を、第７セグメントＳ７のライザＲに引っ掛けて掛け止めした後、反時計回り方向に１２０°離間した第２３セグメントＳ２３まで反時計回り方向に引き回す。そして、βフライヤは、引き回した第２導線Ｗ２を、該第２３セグメントＳ２３のライザＲにクロスさせて引っ掛ける。βフライヤは、該第２３セグメントＳ２３のライザＲに引っ掛けた第２導線Ｗ２を、反時計回り方向に１２０°離間した第１５セグメントＳ１５まで反時計回り方向に引き回し該第１５セグメントＳ１５のライザＲに引っ掛けて掛け止めする。
【００７９】
「短絡線結線工程６」（切断）
αフライヤは、第３セグメントＳ３のライザＲに掛け止めした第１導線Ｗ１を切断する。これによって、その中間部（非端末部）が第１１セグメントＳ１１のライザＲに引っ掛けられた第１導線Ｗ１は、その一端側が第１９セグメントＳ１９のライザＲに掛け止めされ、その他端側が第３セグメントＳ３のライザＲに掛け止めされた第３短絡線Ｌ３となる。
【００８０】
βフライヤは、第１５セグメントＳ１５のライザＲに掛け止めした第２導線Ｗ２を切断する。これによって、その中間部（非端末部）が第２３セグメントＳ２３のライザＲに引っ掛けられた第２導線Ｗ２は、その一端側が第７セグメントＳ７のライザＲに掛け止めされ、その他端側が第１５セグメントＳ１５のライザＲに掛け止めされた第７短絡線Ｌ７となる。
【００８１】
「短絡線結線工程７」（セグメント：Ｓ４→Ｓ２０→Ｓ１２、Ｓ１６→Ｓ８→Ｓ２４）
図７に示されるように、αフライヤは、切断した第１導線Ｗ１の一端側を、第４セグメントＳ４のライザＲに引っ掛けて掛け止めした後、反時計回り方向に１２０°離間した第２０セグメントＳ２０まで反時計回り方向に引き回す。そして、αフライヤは、引き回した第１導線Ｗ１を、該第２０セグメントＳ２０のライザＲにクロスさせて引っ掛ける。αフライヤは、該第２０セグメントＳ２０のライザＲに引っ掛けた第１導線Ｗ１を、反時計回り方向に１２０°離間した第１２セグメントＳ１２まで反時計回り方向に引き回し該第１２セグメントＳ１２のライザＲに引っ掛けて掛け止めする。
【００８２】
一方、βフライヤは、切断した第２導線Ｗ２の一端側を、第１６セグメントＳ１６のライザＲに引っ掛けて掛け止めした後、反時計回り方向に１２０°離間した第８セグメントＳ８まで反時計回り方向に引き回す。そして、βフライヤは、引き回した第２導線Ｗ２を、該第８セグメントＳ８のライザＲにクロスさせて引っ掛ける。βフライヤは、該第８セグメントＳ８のライザＲに引っ掛けた第２導線Ｗ２を、反時計回り方向に１２０°離間した第２４セグメントＳ２４まで反時計回り方向に引き回し該第２４セグメントＳ２４のライザＲに引っ掛けて掛け止めする。
【００８３】
「短絡線結線工程８」（切断）
αフライヤは、第１２セグメントＳ１２のライザＲに掛け止めした第１導線Ｗ１を切断する。これによって、その中間部（非端末部）が第２０セグメントＳ２０のライザＲに引っ掛けられた第１導線Ｗ１は、その一端側が第２セグメントＳ２のライザＲに掛け止めされ、その他端側が第１２セグメントＳ１２のライザＲに掛け止めされた第４短絡線Ｌ４となる。
【００８４】
βフライヤは、第２４セグメントＳ２４のライザＲに掛け止めした第２導線Ｗ２を切断する。これによって、その中間部（非端末部）が第８セグメントＳ８のライザＲに引っ掛けられた第２導線Ｗ２は、その一端側が第１６セグメントＳ１６のライザＲに掛け止めされ、その他端側が第２４セグメントＳ２４のライザＲに掛け止めされた第８短絡線Ｌ８となる。
【００８５】
そして、以上により、αフライヤとβフライヤからなるダブルフライヤ巻線機を使用した第１短絡線Ｌ１〜第８短絡線Ｌ８の結線作業が終了する。
【００８６】
（巻線巻回工程）
短絡線結線工程が完了すると、第１コイル部Ｃ１〜第２４コイル部Ｃ２４の巻回作業に移る。以下、第１コイル部Ｃ１〜第２４コイル部Ｃ２４の巻回方法を、表２に示される巻線巻回工程表と、図８〜図１１に示される巻回図に従って説明する。
【００８７】
【表２】
0006459764.tif 000003
【００８８】
本実施形態では、表２に示される巻線巻回工程表と、図８〜図１１に示される巻回説明図から明らかなように、１８０°対向する位置に配置された第１導線と第２導線を同時に巻回していく方法において、上記と同じダブルフライヤ巻線機（αフライヤとβフライヤ）が用いられる。図８〜図１１中に示される丸付文字は、以下の工程番号を示している。
【００８９】
「巻線巻回工程１」（セグメント：Ｓ１、Ｓ１３）
図８（ａ）に示されるように、αフライヤは、第１導線Ｗ１の一端側を第１セグメントＳ１のライザＲに掛け止めする。
【００９０】
一方、図８（ｂ）に示されるように、βフライヤは、第２導線Ｗ２の一端側を第１３セグメントＳ１３のライザＲに掛け止めする。
【００９１】
「巻線巻回工程２」（スロット：「１」→「２３」、「１３」→「１１」）
図８（ａ）に示されるように、αフライヤは、第１セグメントＳ１のライザＲに掛け止めした第１導線Ｗ１を、整流子５４側から軸方向に沿って見て反時計回り方向（以下、単に反時計回り方向と言う）にスロット番号「１」のスロットまで引き回す。そして、αフライヤは、スロット番号「１」と「２３」のスロット間において、その引き回した第１導線Ｗ１にて電機子コア５６の径方向外側から見て巻回方向が反時計回り方向（以下、単に逆巻方向と言う）の第１２コイル部Ｃ１２を巻回する。
【００９２】
一方、図８（ｂ）に示されるように、βフライヤは、第１３セグメントＳ１３のライザＲに掛け止めした第２導線Ｗ２を、反時計回り方向にスロット番号「１３」のスロットまで引き回す。そして、βフライヤは、スロット番号「１３」と「１１」のスロット間において、その引き回した第２導線Ｗ２にて第６ティースＴ６の軸部Ｔ６ｃに対して逆巻方向の第６コイル部Ｃ６を巻回する。
【００９３】
「巻線巻回工程３」（スロット：「５」→「３」、「１７」→「１５」）
図８（ａ）に示されるように、αフライヤは、軸部Ｔ１２ｃに第１２コイル部Ｃ１２を巻回した第１導線Ｗ１を、スロット番号「１」のスロットから反整流子側に引き出す。続いて、αフライヤは、その反整流子側に引き出した第１導線Ｗ１を、スロット番号「５」のスロットまで整流子５４側から軸方向に沿って見て時計回り方向（以下、単に時計回り方向と言う）に引き回す。そして、αフライヤは、スロット番号「５」と「３」のスロット間において、その引き回した第１導線Ｗ１にて電機子コア５６の径方向外側から見て巻回方向が時計回り方向（以下、単に順巻方向と言う）の第２コイル部Ｃ２を巻回する。
【００９４】
一方、図８（ｂ）に示されるように、βフライヤは、軸部Ｔ６ｃに第６コイル部Ｃ６を巻回した第２導線Ｗ２を、スロット番号「１３」のスロットから反整流子側に引き出す。続いて、βフライヤは、その反整流子側に引き出した第２導線Ｗ２を、スロット番号「１７」のスロットまで時計回り方向に引き回す。そして、βフライヤは、スロット番号「１７」と「１５」のスロット間において、その引き回した第２導線Ｗ２にて第８ティースＴ８の軸部Ｔ８ｃに対して順巻方向の第８コイル部Ｃ８を巻回する。
【００９５】
「巻線巻回工程４」（スロット：「９」→「７」、「２１」→「１９」）
図８（ａ）に示されるように、αフライヤは、軸部Ｔ２ｃに第２コイル部Ｃ２を巻回した第１導線Ｗ１を、スロット番号「５」のスロットから整流子側に引き出す。続いて、αフライヤは、その整流子側に引き出した第１導線Ｗ１を、スロット番号「９」のスロットまで時計回り方向に引き回す。そして、αフライヤは、スロット番号「９」と「７」のスロット間において、その引き回した第１導線Ｗ１にて第４ティースＴ４の軸部Ｔ４ｃに対して逆巻方向の第４コイル部Ｃ４を巻回する。
【００９６】
一方、図８（ｂ）に示されるように、βフライヤは、軸部Ｔ８ｃに第８コイル部Ｃ８を巻回した第２導線Ｗ２を、スロット番号「１７」のスロットから整流子側に引き出す。続いて、βフライヤは、その整流子側に引き出した第２導線Ｗ２を、スロット番号「２１」のスロットまで時計回り方向に引き回す。そして、βフライヤは、スロット番号「２１」と「１９」のスロット間において、その引き回した第２導線Ｗ２にて第１０ティースＴ１０の軸部Ｔ１０ｃに対して逆巻方向の第１０コイル部Ｃ１０を巻回する。
【００９７】
「巻線巻回工程５」（セグメント：Ｓ１０、Ｓ２２）
図８（ａ）に示されるように、αフライヤは、軸部Ｔ４ｃに第４コイル部Ｃ４を巻回した第１導線Ｗ１をスロット番号「７」のスロットを介して整流子側に引き出す。続いて、αフライヤは、その整流子側に引き出した第１導線Ｗ１を時計回り方向に第１０セグメントＳ１０まで引き回し、第１導線Ｗ１の他端側を該第１０セグメントＳ１０のライザＲに引っ掛ける。
【００９８】
一方、図８（ｂ）に示されるように、βフライヤは、軸部Ｔ１０ｃに第１０コイル部Ｃ１０を巻回した第２導線Ｗ２をスロット番号「１９」のスロットを介して整流子側に引き出す。続いて、βフライヤは、その整流子側に引き出した第２導線Ｗ２を時計回り方向に第２２セグメントＳ２２まで引き回し、第２導線Ｗ２の他端側を該第２２セグメントＳ２２のライザＲに引っ掛ける。
【００９９】
そして、以上の巻線巻回工程１〜５によって第１内側巻線６１及び第２内側巻線６２が形成される。
【０１００】
第１内側巻線６１は、一端側結線部が第１セグメントＳ１に結線されると共に、他端側結線部が第１０セグメントＳ１０に結線され、かつ、該一端側結線部及び他端側結線部の間に、第１２ティースＴ１２の軸部Ｔ１２ｃに集中巻きされた第１２コイル部Ｃ１２と、第２ティースＴ２の軸部Ｔ２ｃに集中巻きされた第２コイル部Ｃ２と、第４ティースＴ４の軸部Ｔ４ｃに集中巻きされた第４コイル部Ｃ４とを有する。
【０１０１】
第２内側巻線６２は、一端側結線部が第１３セグメントＳ１３に結線されると共に、他端側結線部が第２２セグメントＳ２２に結線され、かつ、該一端側結線部及び他端側結線部の間に、第６ティースＴ６の軸部Ｔ６ｃに集中巻きされた第６コイル部Ｃ６と、第８ティースＴ８の軸部Ｔ８ｃに集中巻きされた第８コイル部Ｃ８と、第１０ティースＴ１０の軸部Ｔ１０ｃに集中巻きされた第１０コイル部Ｃ１０とを有する。
【０１０２】
以上の巻線巻回工程１〜５は、第１内側巻線６１を形成すると共に、第２内側巻線６２を形成する「第１内側巻線巻回工程」である。
【０１０３】
「巻線巻回工程６」（セグメント：Ｓ１２、Ｓ２４）
図８（ａ）に示されるように、αフライヤは、第１０セグメントＳ１０のライザＲに引っ掛けた第１導線Ｗ１を、時計回り方向に第１２セグメントＳ１２まで引き回し、該第１２セグメントＳ１２のライザＲに引っ掛ける。
【０１０４】
一方、図８（ｂ）に示されるように、βフライヤは、第２２セグメントＳ２２のライザＲに引っ掛けた第２導線Ｗ２を、時計回り方向に第２４セグメントＳ２４まで引き回し、該第２４セグメントＳ２４のライザＲに引っ掛ける。
【０１０５】
「巻線巻回工程７」（スロット：「１５」→「１３」、「３」→「１」）
図９（ａ）に示されるように、αフライヤは、第１２セグメントＳ１２のライザＲに引っ掛けた第１導線Ｗ１を、スロット番号「１５」のスロットまで時計回り方向に引き回す。そして、αフライヤは、スロット番号「１５」と「１３」のスロット間において、その引き回した第１導線Ｗ１にて第７ティースＴ７の軸部Ｔ７ｃに対して逆巻方向の第７コイル部Ｃ７を巻回する。
【０１０６】
一方、図９（ｂ）に示されるように、βフライヤは、第２４セグメントＳ２４のライザＲに引っ掛けた第２導線Ｗ２を、スロット番号「３」のスロットまで時計回り方向に引き回す。そして、βフライヤは、スロット番号「３」と「１」のスロット間において、その引き回した第２導線Ｗ２にて第１ティースＴ１の軸部Ｔ１ｃに対して逆巻方向の第１コイル部Ｃ２を巻回する。
【０１０７】
「巻線巻回工程８」（スロット：「９」→「１１」、「２１」→「２３」）
図９（ａ）に示されるように、αフライヤは、軸部Ｔ７ｃに第２コイル部Ｃ７を巻回した第１導線Ｗ１を、スロット番号「１３」のスロットから整流子側に引き出す。続いて、αフライヤは、その整流子側に引き出した第１導線Ｗ１を、スロット番号「９」のスロットまで反時計回り方向に引き回す。そして、αフライヤは、スロット番号「９」と「１１」のスロット間において、その引き回した第１導線Ｗ１にて第５ティースＴ５の軸部Ｔ５ｃに対して順巻方向の第５コイル部Ｃ５を巻回する。
【０１０８】
一方、図９（ｂ）に示されるように、βフライヤは、軸部Ｔ１ｃに第１コイル部Ｃ１を巻回した第２導線Ｗ２を、スロット番号「１」のスロットから整流子側に引き出す。続いて、βフライヤは、その整流子側に引き出した第２導線Ｗ２を、スロット番号「２１」のスロットまで反時計回り方向に引き回す。そして、βフライヤは、スロット番号「２１」と「２３」のスロット間において、その引き回した第２導線Ｗ２にて第１１ティースＴ１１の軸部Ｔ１１ｃに対して順巻方向の第１１コイル部Ｃ１１を巻回する。
【０１０９】
「巻線巻回工程９」（スロット：「５」→「７」、「１７」→「１９」）
図９（ａ）に示されるように、αフライヤは、軸部Ｔ５ｃに第２コイル部Ｃ５を巻回した第１導線Ｗ１を、スロット番号「９」のスロットから反整流子側に引き出す。続いて、αフライヤは、その反整流子側に引き出した第１導線Ｗ１を、スロット番号「５」のスロットまで反時計回り方向に引き回す。そして、αフライヤは、スロット番号「５」と「７」のスロット間において、その引き回した第１導線Ｗ１にて第３ティースＴ３の軸部Ｔ３ｃに対して逆巻方向の第３コイル部Ｃ３を巻回する。
【０１１０】
一方、図９（ｂ）に示されるように、βフライヤは、軸部Ｔ１１ｃに第１１コイル部Ｃ１１を巻回した第２導線Ｗ２を、スロット番号「２１」のスロットから反整流子側に引き出す。続いて、βフライヤは、その反整流子側に引き出した第２導線Ｗ２を、スロット番号「１７」のスロットまで反時計回り方向に引き回す。そして、βフライヤは、スロット番号「１７」と「１９」のスロット間において、その引き回した第２導線Ｗ２にて第９ティースＴ９の軸部Ｔ９ｃに対して逆巻方向の第９コイル部Ｃ９を巻回する。
【０１１１】
「巻線巻回工程１０」（セグメント：Ｓ３、Ｓ１５）
図９（ａ）に示されるように、αフライヤは、軸部Ｔ３ｃに第３コイル部Ｃ３を巻回した第１導線Ｗ１をスロット番号「５」のスロットを介して整流子側に引き出す。続いて、αフライヤは、その整流子側に引き出した第１導線Ｗ１を、反時計回り方向に第３セグメントＳ３まで引き回し、該第３セグメントＳ３のライザＲに引っ掛ける。
【０１１２】
一方、図９（ｂ）に示されるように、βフライヤは、軸部Ｔ９ｃに第９コイル部Ｃ９を巻回した第２導線Ｗ２をスロット番号「１７」のスロットを介して整流子側に引き出す。続いて、βフライヤは、その整流子側に引き出した第２導線Ｗ２を、反時計回り方向に第１５セグメントＳ１５まで引き回し、該第１５セグメントＳ１５のライザＲに引っ掛ける。
【０１１３】
そして、以上の巻線巻回工程６〜１０によって第３内側巻線６３及び第４内側巻線６４が形成される。
【０１１４】
第３内側巻線６３は、一端側結線部が第１２セグメントＳ１２に結線されると共に、他端側結線部が第３セグメントＳ３に結線され、かつ、該一端側結線部及び他端側結線部の間に、第７ティースＴ７の軸部Ｔ７ｃに集中巻きされた第７コイル部Ｃ７と、第５ティースＴ５の軸部Ｔ５ｃに集中巻きされた第５コイル部Ｃ５と、第３ティースＴ３の軸部Ｔ３ｃに集中巻きされた第３コイル部Ｃ３とを有する。
【０１１５】
第４内側巻線６４は、一端側結線部が第２４セグメントＳ２４に結線されると共に、他端側結線部が第１５セグメントＳ１５に結線され、かつ、該一端側結線部及び他端側結線部の間に、第１ティースＴ１の軸部Ｔ１ｃに集中巻きされた第１コイル部Ｃ１と、第１１ティースＴ１１の軸部Ｔ１１ｃに集中巻きされた第１１コイル部Ｃ１１と、第９ティースＴ９の軸部Ｔ９ｃに集中巻きされた第９コイル部Ｃ９とを有する。
【０１１６】
以上の巻線巻回工程６〜１０は、第３内側巻線６３を形成すると共に、第４内側巻線６４を形成する「第２内側巻線巻回工程」である。このように、本実施形態では、第１〜第４の複数の内側巻線が形成される。
【０１１７】
「巻線巻回工程１１」（スロット：「２４」→「２」、「１２」→「１４」）
図１０（ａ）に示されるように、αフライヤは、第３セグメントＳ３のライザＲに引っ掛けた第１導線Ｗ１を、スロット番号「２４」のスロットまで反時計回り方向に引き回す。そして、αフライヤは、スロット番号「２４」と「２」のスロット間において、すなわち、第１２ティースＴ１２の第１分岐部Ｔ１２ａ及び第１ティースＴ１の第２分岐部Ｔ１ｂ間に対して、その引き回した第１導線Ｗ１にて順巻方向の第２４コイル部Ｃ２４を巻回する。
【０１１８】
一方、図１０（ｂ）に示されるように、βフライヤは、第１５セグメントＳ１５のライザＲに引っ掛けた第１導線Ｗ１を、スロット番号「１２」のスロットまで反時計回り方向に引き回す。そして、αフライヤは、スロット番号「１２」と「１４」のスロット間において、すなわち、第６ティースＴ６の第１分岐部Ｔ６ａ及び第７ティースＴ７の第２分岐部Ｔ７ｂ間に対して、その引き回した第２導線Ｗ２にて順巻方向の第１８コイル部Ｃ１８を巻回する。
【０１１９】
「巻線巻回工程１２」（スロット：「２０」→「２２」、「８」→「１０」）
図１０（ａ）に示されるように、αフライヤは、第１２ティースＴ１２の第１分岐部Ｔ１２ａ及び第１ティースＴ１の第２分岐部Ｔ１ｂ間に第２４コイル部Ｃ２４を巻回した第１導線Ｗ１を、スロット番号「２４」のスロットから反整流子側に引き出す。続いて、αフライヤは、その反整流子側に引き出した第１導線Ｗ１を、スロット番号「２０」のスロットまで反時計回り方向に引き回す。そして、αフライヤは、スロット番号「２０」と「２２」のスロット間において、すなわち、第１０ティースＴ１０の第１分岐部Ｔ１０ａ及び第１１ティースＴ１１の第２分岐部Ｔ１１ｂ間に対して、その引き回した第１導線Ｗ１にて逆巻方向の第２２コイル部Ｃ２２を巻回する。
【０１２０】
一方、図１０（ｂ）に示されるように、βフライヤは、第６ティースＴ６の第１分岐部Ｔ６ａ及び第７ティースＴ７の第２分岐部Ｔ７ｂ間に第１８コイル部Ｃ１８を巻回した第２導線Ｗ２を、スロット番号「１２」のスロットから反整流子側に引き出す。続いて、βフライヤは、その反整流子側に引き出した第２導線Ｗ２を、スロット番号「８」のスロットまで反時計回り方向に引き回す。そして、βフライヤは、スロット番号「８」と「１０」のスロット間において、すなわち、第４ティースＴ４の第１分岐部Ｔ４ａ及び第５ティースＴ５の第２分岐部Ｔ５ｂ間に対して、その引き回した第２導線Ｗ２にて逆巻方向の第１６コイル部Ｃ１６を巻回する。
【０１２１】
「巻線巻回工程１３」（スロット：「１６」→「１８」、「４」→「６」）
図１０（ａ）に示されるように、αフライヤは、第１０ティースＴ１０の第１分岐部Ｔ１０ａ及び第１１ティースＴ１１の第２分岐部Ｔ１１ｂ間に第２２コイル部Ｃ２２を巻回した第１導線Ｗ１を、スロット番号「２０」のスロットから整流子側に引き出す。続いて、αフライヤは、その整流子側に引き出した第１導線Ｗ１を、スロット番号「１６」のスロットまで反時計回り方向に引き回す。そして、αフライヤは、スロット番号「１６」と「１８」のスロット間において、すなわち、第８ティースＴ８の第１分岐部Ｔ８ａ及び第９ティースＴ９の第２分岐部Ｔ９ｂ間に対して、その引き回した第１導線Ｗ１にて順巻方向の第２０コイル部Ｃ２０を巻回する。
【０１２２】
一方、図１０（ｂ）に示されるように、βフライヤは、第４ティースＴ４の第１分岐部Ｔ４ａ及び第５ティースＴ５の第２分岐部Ｔ５ｂ間に第１６コイル部Ｃ１６を巻回した第２導線Ｗ２を、スロット番号「８」のスロットから整流子側に引き出す。続いて、αフライヤは、その整流子側に引き出した第２導線Ｗ２を、スロット番号「４」のスロットまで反時計回り方向に引き回す。そして、βフライヤは、スロット番号「４」と「６」のスロット間において、すなわち、第２ティースＴ２の第１分岐部Ｔ２ａ及び第３ティースＴ３の第２分岐部Ｔ３ｂ間に対して、その引き回した第２導線Ｗ２にて順巻方向の第１４コイル部Ｃ１４を巻回する。
【０１２３】
「巻線巻回工程１４」（スロット：「２０」、「８」）
図１０（ａ）に示されるように、αフライヤは、第８ティースＴ８の第１分岐部Ｔ８ａ及び第９ティースＴ９の第２分岐部Ｔ９ｂ間に第２０コイル部Ｃ２０を巻回した第１導線Ｗ１を、スロット番号「１６」のスロットから反整流子側に引き出す。続いて、αフライヤは、その反整流子側に引き出した第１導線Ｗ１を、スロット番号「２０」のスロットまで時計回り方向に引き回す。そして、αフライヤは、スロット番号「２０」に引き回した第１導線Ｗ１を、スロット番号「２０」のスロットから整流子側に引き出す。
【０１２４】
一方、図１０（ｂ）に示されるように、βフライヤは、第２ティースＴ２の第１分岐部Ｔ２ａ及び第３ティースＴ３の第２分岐部Ｔ３ｂ間に第１４コイル部Ｃ１４を巻回した第２導線Ｗ２を、スロット番号「４」のスロットから反整流子側に引き出す。続いて、βフライヤは、その反整流子側に引き出した第２導線Ｗ２を、スロット番号「８」のスロットまで時計回り方向に引き回す。そして、βフライヤは、スロット番号「８」に引き回した第２導線Ｗ２を、スロット番号「８」のスロットから整流子側に引き出す。
【０１２５】
「巻線巻回工程１５」（セグメント：Ｓ１８、Ｓ６）
図１０（ａ）に示されるように、αフライヤは、スロット番号「２０」のスロットから整流子側に引き出した第１導線Ｗ１を、時計回り方向に第１８セグメントＳ１８まで引き回し、該第１８セグメントＳ１８のライザＲに引っ掛ける。
【０１２６】
一方、図１０（ｂ）に示されるように、βフライヤは、スロット番号「８」のスロットから整流子側に引き出した第２導線Ｗ２を、時計回り方向に第６セグメントＳ６まで引き回し、該第６セグメントＳ６のライザＲに引っ掛ける。
【０１２７】
そして、以上の巻線巻回工程１１〜１５によって第１外側巻線７１及び第２外側巻線７２が形成される。
【０１２８】
第１外側巻線７１は、一端側結線部が第３セグメントＳ３に結線されると共に、他端側結線部が第１８セグメントＳ１８に結線され、かつ、該一端側結線部及び他端側結線部の間に、第１２ティースＴ１２の第１分岐部Ｔ１２ａ及び第１ティースＴ１の第２分岐部Ｔ２ｂに亘って分布巻きされた第２４コイル部Ｃ２４と、第１０ティースＴ１０の第１分岐部Ｔ１ａ及び第１１ティースＴ１１の第２分岐部Ｔ１１ｂに亘って分布巻きされた第２２コイル部Ｃ２２と、第８ティースＴ８の第１分岐部Ｔ８ａ及び第９ティースＴ９の第２分岐部Ｔ９ｂに亘って分布巻きされた第２０コイル部Ｃ２０とを有する。
【０１２９】
第２外側巻線７２は、一端側結線部が第１５セグメントＳ１５に結線されると共に、他端側結線部が第６セグメントＳ６に結線され、かつ、該一端側結線部及び他端側結線部の間に、第６ティースＴ６の第１分岐部Ｔ６ａ及び第７ティースＴ７の第２分岐部Ｔ７ｂに亘って分布巻きされた第１８コイル部Ｃ１８と、第４ティースＴ４の第１分岐部Ｔ４ａ及び第５ティースＴ５の第２分岐部Ｔ５ｂに亘って分布巻きされた第１６コイル部Ｃ１６と、第２ティースＴ２の第１分岐部Ｔ２ａ及び第３ティースＴ３の第２分岐部Ｔ３ｂに亘って分布巻きされた第１４コイル部Ｃ１４とを有する。
【０１３０】
以上の巻線巻回工程１１〜１５は、第１外側巻線７１を形成すると共に、第２外側巻線７２を形成する「第１外側巻線巻回工程」である。
【０１３１】
「巻線巻回工程１６」（セグメント：Ｓ１７、Ｓ５）
図１０（ａ）に示されるように、αフライヤは、第１８セグメントＳ１８のライザＲに引っ掛けた第１導線Ｗ１を、反時計回り方向に第１７セグメントＳ１７まで引き回し、該第１７セグメントＳ１７のライザＲに引っ掛ける。
【０１３２】
一方、図１０（ｂ）に示されるように、βフライヤは、第６セグメントＳ６のライザＲに引っ掛けた第２導線Ｗ２を、反時計回り方向に第５セグメントＳ５まで引き回し、該第５セグメントＳ５のライザＲに引っ掛ける。
【０１３３】
「巻線巻回工程１７」（スロット：「１４」→「１６」、「２」→「４」）
図１１（ａ）に示されるように、αフライヤは、第１７セグメントＳ１７のライザＲに引っ掛けた第１導線Ｗ１を、スロット番号「１４」のスロットまで反時計回り方向に引き回す。そして、αフライヤは、スロット番号「１４」と「１６」のスロット間において、すなわち、第７ティースＴ７の第１分岐部Ｔ７ａ及び第８ティースＴ８の第２分岐部Ｔ８ｂ間に対して、その引き回した第１導線Ｗ１にて逆巻方向の第１９コイル部Ｃ１９を巻回する。
【０１３４】
一方、図１１（ｂ）に示されるように、βフライヤは、第５セグメントＳ５のライザＲに引っ掛けた第２導線Ｗ２を、スロット番号「２」のスロットまで反時計回り方向に引き回す。そして、βフライヤは、スロット番号「２」と「４」のスロット間において、すなわち、第１ティースＴ１の第１分岐部Ｔ１ａ及び第２ティースＴ２の第２分岐部Ｔ２ｂ間に対して、その引き回した第２導線Ｗ２にて順巻方向の第１３コイル部Ｃ１３を巻回する。
【０１３５】
「巻線巻回工程１８」（スロット：「１０」→「１２」、「２２」→「２４」）
図１１（ａ）に示されるように、αフライヤは、第７ティースＴ７の第１分岐部Ｔ７ａ及び第８ティースＴ８の第２分岐部Ｔ８ｂ間に第１９コイル部Ｃ１９を巻回した第１導線Ｗ１を、スロット番号「１４」のスロットから反整流子側に引き出す。続いて、αフライヤは、その反整流子側に引き出した第１導線Ｗ１を、スロット番号「１０」のスロットまで反時計回り方向に引き回す。そして、αフライヤは、スロット番号「１０」と「１２」のスロット間において、すなわち、第５ティースＴ５の第１分岐部Ｔ５ａ及び第６ティースＴ６の第２分岐部Ｔ６ｂ間に対して、その引き回した第１導線Ｗ１にて順巻方向の第１７コイル部Ｃ１７を巻回する。
【０１３６】
一方、図１１（ｂ）に示されるように、βフライヤは、第１ティースＴ１の第１分岐部Ｔ１ａ及び第２ティースＴ２の第２分岐部Ｔ２ｂ間に第１３コイル部Ｃ１３を巻回した第２導線Ｗ２を、スロット番号「２」のスロットから反整流子側に引き出す。続いて、βフライヤは、その反整流子側に引き出した第２導線Ｗ２を、スロット番号「２２」のスロットまで反時計回り方向に引き回す。そして、βフライヤは、スロット番号「２２」と「２４」のスロット間において、すなわち、第１１ティースＴ１１の第１分岐部Ｔ１１ａ及び第１２ティースＴ１２の第２分岐部Ｔ１２ｂ間に対して、その引き回した第２導線Ｗ２にて逆巻方向の第２３コイル部Ｃ２３を巻回する。
【０１３７】
「巻線巻回工程１９」（スロット：「６」→「８」、「１８」→「２０」）
図１１（ａ）に示されるように、αフライヤは、第５ティースＴ５の第１分岐部Ｔ５ａ及び第６ティースＴ６の第２分岐部Ｔ６ｂ間に第１７コイル部Ｃ１７を巻回した第１導線Ｗ１を、スロット番号「１０」のスロットから整流子側に引き出す。続いて、αフライヤは、その整流子側に引き出した第１導線Ｗ１を、スロット番号「６」のスロットまで反時計回り方向に引き回す。そして、αフライヤは、スロット番号「６」と「８」のスロット間において、すなわち、第３ティースＴ３の第１分岐部Ｔ３ａ及び第４ティースＴ４の第２分岐部Ｔ４ｂ間に対して、その引き回した第１導線Ｗ１にて逆巻方向の第１５コイル部Ｃ１５を巻回する。
【０１３８】
一方、図１１（ｂ）に示されるように、βフライヤは、第１１ティースＴ１１の第１分岐部Ｔ１１ａ及び第１２ティースＴ１２の第２分岐部Ｔ１２ｂ間に第２３コイル部Ｃ２３を巻回した第２導線Ｗ２を、スロット番号「２２」のスロットから整流子側に引き出す。続いて、βフライヤは、その整流子側に引き出した第２導線Ｗ２を、スロット番号「１８」のスロットまで反時計回り方向に引き回す。そして、βフライヤは、スロット番号「１８」と「２０」のスロット間において、すなわち、第９ティースＴ９の第１分岐部Ｔ９ａ及び第１０ティースＴ１０の第２分岐部Ｔ１０ｂ間に対して、その引き回した第２導線Ｗ２にて順巻方向の第２１コイル部Ｃ２１を巻回する。
【０１３９】
「巻線巻回工程２０」（セグメント：Ｓ８、Ｓ２０）
図１１（ａ）に示されるように、αフライヤは、スロット番号「８」のスロットから整流子側に引き出した第１導線Ｗ１を、時計回り方向に第８セグメントＳ８まで引き回し、該第８セグメントＳ８のライザＲに引っ掛ける。
【０１４０】
一方、図１１（ｂ）に示されるように、βフライヤは、スロット番号「２０」のスロットから整流子側に引き出した第２導線Ｗ２を、時計回り方向に第２０セグメントＳ２０まで引き回し、該第２０セグメントＳ２０のライザＲに引っ掛ける。
【０１４１】
そして、以上の巻線巻回工程１６〜２０によって第３外側巻線７３及び第４外側巻線７４が形成される。
【０１４２】
第３外側巻線７３は、一端側結線部が第１７セグメントＳ１７に結線されると共に、他端側結線部が第８セグメントＳ８に結線され、かつ、該一端側結線部及び他端側結線部の間に、第７ティースＴ７の第１分岐部Ｔ７ａ及び第８ティースＴ８の第２分岐部Ｔ８ｂに亘って分布巻きされた第１９コイル部Ｃ１９と、第５ティースＴ５の第１分岐部Ｔ５ａ及び第６ティースＴ６の第２分岐部Ｔ６ｂに亘って分布巻きされた第１７コイル部Ｃ１７と、第３ティースＴ３の第１分岐部Ｔ３ａ及び第４ティースＴ４の第２分岐部Ｔ４ｂに亘って分布巻きされた第１５コイル部Ｃ１５とを有する。
【０１４３】
第４外側巻線７４は、一端側結線部が第５セグメントＳ５に結線されると共に、他端側結線部が第２０セグメントＳ２０に結線され、かつ、該一端側結線部及び他端側結線部の間に、第１ティースＴ１の第１分岐部Ｔ１ａ及び第２ティースＴ２の第２分岐部Ｔ２ｂに亘って分布巻きされた第１３コイル部Ｃ１３と、第１１ティースＴ１１の第１分岐部Ｔ１１ａ及び第１２ティースＴ１２の第２分岐部Ｔ１２ｂに亘って分布巻きされた第２３コイル部Ｃ２３と、第９ティースＴ９の第１分岐部Ｔ９ａ及び第１０ティースＴ１０の第２分岐部Ｔ１０ｂに亘って分布巻きされた第２１コイル部Ｃ２１とを有する。
【０１４４】
以上の巻線巻回工程１６〜２０は、第３外側巻線７３を形成すると共に、第４外側巻線７４を形成する「第２外側巻線巻回工程」である。このように、本実施形態では、第１〜第４の複数の外側巻線が形成される。
【０１４５】
続いて、ヒュージングが行われ、このヒュージングによって、各セグメントのライザＲは、それぞれ対応する各巻線の端部と各短絡線の非端末部とともに接合されて電気的に接続される。
【０１４６】
「巻線巻回工程２１」（切断除去）
第１導線Ｗ１、第２導線Ｗ２について、図８（ａ）、図８（ｂ）、図１０（ａ）、図１０（ｂ）にそれぞれ「×」で示される部分を切断する。この部分を残しておくと、セグメント間が短絡するため、切断除去する必要がある。
【０１４７】
つまり、図８（ａ）に示されるように、第１導線Ｗ１における第１０セグメントＳ１０及び第１２セグメントＳ１２間の部分を切断し、図８（ｂ）に示されるように、第２導線Ｗ２における第２２セグメントＳ２２及び第２４セグメントＳ２４間の部分を切断する。
【０１４８】
また、図１０（ａ）に示されるように、第１導線Ｗ１における第１８セグメントＳ１８及び第１７セグメントＳ１７間の部分を切断し、図１０（ｂ）に示されるように、第２導線Ｗ２における第６セグメントＳ６及び第５セグメントＳ５間の部分を切断する。この各セグメント間の切断は、図１３の「×」で示されるように、整流子５４に沿って配線された導線において行われる。以上の巻線巻回工程２１は、「切断工程」である。第１実施形態では、以上の製造方法により、電機子５０が製造される。
【０１４９】
次に、本発明の第１実施形態の作用及び効果について説明する。
【０１５０】
以上詳述したように、本発明の第１実施形態によれば、第１内側巻線６１〜第４内側巻線６４の各々では、一端側結線部及び他端側結線部の間に複数の内側コイル部（本実施形態では、３個）が連続して形成されている。同様に、第１外側巻線７１〜第４外側巻線７４の各々では、一端側結線部及び他端側結線部の間に複数の外側コイル部（本実施形態では、３個）が連続して形成されている。したがって、内側コイル部及び外側コイル部の両端部をセグメントに結線する場合に比して、導線の切断回数及びターン数を減らすことができる。これにより、加工時間が短くなるので、コストダウンできる。
【０１５１】
また、２４個のセグメント一つ当たりにおける導線の結線本数が１本であるので、次工程のヒュージングを安定させることができる。
【０１５２】
また、全ての内側コイル部（Ｃ１〜Ｃ１２）及び外側コイル部（Ｃ１３〜Ｃ２４）の巻回を終えてから、導線の不要部分を切断するので、巻線巻回工程中に導線の不要部分を切断する場合に比して、加工時間を短くでき、より一層コストダウンできる。
【０１５３】
［第２実施形態］
次に、本発明の第２実施形態について説明する。
【０１５４】
図１３に示される本発明の第２実施形態に係る直流モータ１３０は、４極１６スロットモータである。この直流モータ１３０は、上述の第１実施形態に係る直流モータに対してスロット数及び磁極数が異なる以外は上述の第１実施形態に係る直流モータと同様の構成である。
【０１５５】
なお、図１４に示されるように、第二実施形態において、１６個のセグメントのそれぞれを特定する場合には、この１６個のセグメントを、整流子５４の周方向の時計回りに順番に第１セグメントＳ１〜第１６セグメントＳ１６と称する。この第１セグメントＳ１〜第１６セグメントＳ１６は、周方向に等ピッチ（２２．５°間隔）で配置されている。
【０１５６】
また、第二実施形態において、８個のティースのそれぞれを特定する場合には、この８個のティースを、電機子コア５６の周方向の時計回りに順番に第１ティースＴ１〜第８ティースＴ８と称する。また、第１ティースＴ１〜第８ティースＴ８の第１分岐部Ｔａ及び第２分岐部Ｔｂを、第１分岐部Ｔ１ａ〜Ｔ８ａ及び第２分岐部Ｔ１ｂ〜Ｔ８ｂと称する。さらに、第１ティースＴ１〜第８ティースＴ８の軸部Ｔｃを、軸部Ｔ１ｃ〜Ｔ８ｃと称する。
【０１５７】
さらに、説明の便宜上、電機子コア５６に形成される１６個のスロットを、スロット番号「１」〜「１６」で特定し、その番号を図１４〜図１８に付す。
【０１５８】
この直流モータ１３０では、以下の要領で、第１コイル部Ｃ１〜第１６コイル部Ｃ１６が巻回される。
【０１５９】
（巻線巻回工程）
以下、第１コイル部Ｃ１〜第１６コイル部Ｃ１６の巻回方法を、表３に示される巻線巻回工程表と、図１５〜図１８に示される巻回図に従って説明する。
【０１６０】
【表３】
0006459764.tif 000004
【０１６１】
本実施形態では、表３に示される巻線巻回工程表と、図１５〜図１８に示される巻回説明図から明らかなように、１８０°対向する位置に配置された第１導線と第２導線を同時に巻回していく方法において、上述の第１実施形態と同じダブルフライヤ巻線機（αフライヤとβフライヤ）が用いられる。図１５〜図１８中に示される丸付文字は、以下の工程番号を示している。
【０１６２】
「巻線巻回工程１」（セグメント：Ｓ１、Ｓ７）
図１５（ａ）に示されるように、αフライヤは、第１導線Ｗ１の一端側を第１セグメントＳ１のライザＲに掛け止めする。
【０１６３】
一方、図１５（ｂ）に示されるように、βフライヤは、第２導線Ｗ２の一端側を第７セグメントＳ７のライザＲに掛け止めする。
【０１６４】
「巻線巻回工程２」（スロット：「１５」→「１」、「５」→「７」）
図１５（ａ）に示されるように、αフライヤは、第１セグメントＳ１のライザＲに掛け止めした第１導線Ｗ１を反時計回り方向にスロット番号「１５」のスロットまで引き回す。そして、αフライヤは、スロット番号「１５」と「１」のスロット間において、その引き回した第１導線Ｗ１にて第８ティースＴ８の軸部Ｔ８ｃに対して順巻方向の第８コイル部Ｃ８を巻回する。
【０１６５】
一方、図１５（ｂ）に示されるように、βフライヤは、第７セグメントＳ７のライザＲに掛け止めした第２導線Ｗ２を、反時計回り方向にスロット番号「５」のスロットまで引き回す。そして、βフライヤは、スロット番号「５」と「７」のスロット間において、その引き回した第２導線Ｗ２にて第３ティースＴ３の軸部Ｔ３ｃに対して順巻方向の第３コイル部Ｃ３を巻回する。
【０１６６】
「巻線巻回工程３」（スロット：「５」→「３」、「１１」→「９」）
図１５（ａ）に示されるように、αフライヤは、軸部Ｔ８ｃに第８コイル部Ｃ８を巻回した第１導線Ｗ１を、スロット番号「１」のスロットから整流子側に引き出す。続いて、αフライヤは、その整流子側に引き出した第１導線Ｗ１を、スロット番号「５」のスロットまで時計回り方向に引き回す。そして、αフライヤは、スロット番号「５」と「３」のスロット間において、その引き回した第１導線Ｗ１にて第２ティースＴ２の軸部Ｔ２ｃに対して逆巻方向の第２コイル部Ｃ２を巻回する。
【０１６７】
一方、図１５（ｂ）に示されるように、βフライヤは、軸部Ｔ３ｃに第３コイル部Ｃ３を巻回した第２導線Ｗ２を、スロット番号「７」のスロットから整流子側に引き出す。続いて、βフライヤは、その整流子側に引き出した第２導線Ｗ２を、スロット番号「１１」のスロットまで時計回り方向に引き回す。そして、βフライヤは、スロット番号「１１」と「９」のスロット間において、その引き回した第２導線Ｗ２にて第５ティースＴ５の軸部Ｔ５ｃに対して逆巻方向の第５コイル部Ｃ５を巻回する。
【０１６８】
「巻線巻回工程４」（セグメント：Ｓ２、Ｓ８）
図１５（ａ）に示されるように、αフライヤは、軸部Ｔ２ｃに第２コイル部Ｃ２を巻回した第１導線Ｗ１をスロット番号「３」のスロットを介して整流子側に引き出す。続いて、αフライヤは、その整流子側に引き出した第１導線Ｗ１を、反時計回り方向に第２セグメントＳ２まで引き回し、該第２セグメントＳ２のライザＲに引っ掛ける。
【０１６９】
一方、図１５（ｂ）に示されるように、βフライヤは、軸部Ｔ５ｃに第５コイル部Ｃ５を巻回した第２導線Ｗ２をスロット番号「９」のスロットを介して整流子側に引き出す。続いて、βフライヤは、その整流子側に引き出した第２導線Ｗ２を、反時計回り方向に第８セグメントＳ８まで引き回し、該第８セグメントＳ８のライザＲに引っ掛ける。
【０１７０】
そして、以上の巻線巻回工程１〜４によって第１内側巻線６１及び第２内側巻線６２が形成される。
【０１７１】
第１内側巻線６１は、一端側結線部が第１セグメントＳ１に結線されると共に、他端側結線部が第２セグメントＳ２に結線され、かつ、該一端側結線部及び他端側結線部の間に、第８ティースＴ８の軸部Ｔ８ｃに集中巻きされた第８コイル部Ｃ８と、第２ティースＴ２の軸部Ｔ２ｃに集中巻きされた第２コイル部Ｃ２とを有する。
【０１７２】
第２内側巻線６２は、一端側結線部が第７セグメントＳ７に結線されると共に、他端側結線部が第８セグメントＳ８に結線され、かつ、該一端側結線部及び他端側結線部の間に、第３ティースＴ３の軸部Ｔ３ｃに集中巻きされた第３コイル部Ｃ３と、第５ティースＴ５の軸部Ｔ５ｃに集中巻きされた第５コイル部Ｃ５とを有する。
【０１７３】
以上の巻線巻回工程１〜４は、第１内側巻線６１を形成すると共に、第２内側巻線６２を形成する「第１内側巻線巻回工程」である。
【０１７４】
「巻線巻回工程５」（セグメント：Ｓ１４、Ｓ４）
図１６（ａ）に示されるように、αフライヤは、第２セグメントＳ２のライザＲに引っ掛けた第１導線Ｗ１を、反時計回り方向に第１４セグメントＳ１４まで引き回し、該第１４セグメントＳ１４のライザＲに引っ掛ける。
【０１７５】
一方、図１６（ｂ）に示されるように、βフライヤは、第８セグメントＳ８のライザＲに引っ掛けた第２導線Ｗ２を、反時計回り方向に第４セグメントＳ４まで引き回し、該第４セグメントＳ４のライザＲに引っ掛ける。
【０１７６】
「巻線巻回工程６」（スロット：「１３」→「１１」、「３」→「１」）
図１６（ａ）に示されるように、αフライヤは、第１４セグメントＳ１４のライザＲに引っ掛けた第１導線Ｗ１を、スロット番号「１３」のスロットまで反時計回り方向に引き回す。そして、αフライヤは、スロット番号「１３」と「１１」のスロット間において、その引き回した第１導線Ｗ１にて第６ティースＴ６の軸部Ｔ６ｃに対して逆巻方向の第６コイル部Ｃ６を巻回する。
【０１７７】
一方、図１６（ｂ）に示されるように、βフライヤは、第４セグメントＳ４のライザＲに引っ掛けた第２導線Ｗ２を、スロット番号「３」のスロットまで反時計回り方向に引き回す。そして、βフライヤは、スロット番号「３」と「１」のスロット間において、その引き回した第２導線Ｗ２にて第１ティースＴ１の軸部Ｔ１ｃに対して逆巻方向の第１コイル部Ｃ１を巻回する。
【０１７８】
「巻線巻回工程７」（スロット：「７」→「９」、「１３」→「１５」）
図１６（ａ）に示されるように、αフライヤは、軸部Ｔ６ｃに第６コイル部Ｃ６を巻回した第１導線Ｗ１を、スロット番号「１１」のスロットから整流子側に引き出す。続いて、αフライヤは、その整流子側に引き出した第１導線Ｗ１を、スロット番号「７」のスロットまで反時計回り方向に引き回す。そして、αフライヤは、スロット番号「７」と「９」のスロット間において、その引き回した第１導線Ｗ１にて第４ティースＴ４の軸部Ｔ４ｃに対して順巻方向の第４コイル部Ｃ４を巻回する。
【０１７９】
一方、図９（ｂ）に示されるように、βフライヤは、軸部Ｔ１ｃに第１コイル部Ｃ１を巻回した第２導線Ｗ２を、スロット番号「１」のスロットから整流子側に引き出す。続いて、βフライヤは、その整流子側に引き出した第２導線Ｗ２を、スロット番号「１３」のスロットまで反時計回り方向に引き回す。そして、βフライヤは、スロット番号「１３」と「１５」のスロット間において、その引き回した第２導線Ｗ２にて第７ティースＴ７の軸部Ｔ７ｃに対して順巻方向の第７コイル部Ｃ７を巻回する。
【０１８０】
「巻線巻回工程８」（セグメント：Ｓ５、Ｓ１１）
図１６（ａ）に示されるように、αフライヤは、軸部Ｔ４ｃに第４コイル部Ｃ４を巻回した第１導線Ｗ１をスロット番号「９」のスロットを介して整流子側に引き出す。続いて、αフライヤは、その整流子側に引き出した第１導線Ｗ１を、反時計回り方向に第５セグメントＳ５まで引き回し、該第５セグメントＳ５のライザＲに引っ掛ける。
【０１８１】
一方、図１６（ｂ）に示されるように、βフライヤは、軸部Ｔ７ｃに第７コイル部Ｃ７を巻回した第２導線Ｗ２をスロット番号「１５」のスロットを介して整流子側に引き出す。続いて、βフライヤは、その整流子側に引き出した第２導線Ｗ２を、反時計回り方向に第１１セグメントＳ１１まで引き回し、該第１１セグメントＳ１１のライザＲに引っ掛ける。
【０１８２】
そして、以上の巻線巻回工程５〜８によって第３内側巻線６３及び第４内側巻線６４が形成される。
【０１８３】
第３内側巻線６３は、一端側結線部が第１４セグメントＳ１４に結線されると共に、他端側結線部が第５セグメントＳ５に結線され、かつ、該一端側結線部及び他端側結線部の間に、第６ティースＴ６の軸部Ｔ６ｃに集中巻きされた第６コイル部Ｃ６と、第４ティースＴ４の軸部Ｔ４ｃに集中巻きされた第４コイル部Ｃ４とを有する。
【０１８４】
第４内側巻線６４は、一端側結線部が第４セグメントＳ４に結線されると共に、他端側結線部が第１１セグメントＳ１１に結線され、かつ、該一端側結線部及び他端側結線部の間に、第１ティースＴ１の軸部Ｔ１ｃに集中巻きされた第１コイル部Ｃ１と、第７ティースＴ７の軸部Ｔ７ｃに集中巻きされた第７コイル部Ｃ７とを有する。
【０１８５】
以上の巻線巻回工程５〜８は、第３内側巻線６３を形成すると共に、第４内側巻線６４を形成する「第２内側巻線巻回工程」である。このように、本実施形態では、第１〜第４の複数の内側巻線が形成される。
【０１８６】
「巻線巻回工程９」（セグメント：Ｓ１３、Ｓ３）
図１７（ａ）に示されるように、αフライヤは、第５セグメントＳ５のライザＲに引っ掛けた第１導線Ｗ１を、反時計回り方向に第１３セグメントＳ１３まで引き回し、該第１３セグメントＳ１３のライザＲに引っ掛ける。
【０１８７】
一方、図１７（ｂ）に示されるように、βフライヤは、第１１セグメントＳ１１のライザＲに引っ掛けた第２導線Ｗ２を、反時計回り方向に第３セグメントＳ３まで引き回し、該第３セグメントＳ３のライザＲに引っ掛ける。
【０１８８】
「巻線巻回工程１０」（スロット：「１２」→「１０」、「２」→「１６」）
図１７（ａ）に示されるように、αフライヤは、第１３セグメントＳ１３のライザＲに引っ掛けた第１導線Ｗ１を、スロット番号「１２」のスロットまで反時計回り方向に引き回す。そして、αフライヤは、スロット番号「１２」と「１０」のスロット間において、すなわち、第６ティースＴ６の第２分岐部Ｔ６ｂ及び第５ティースＴ５の第１分岐部Ｔ５ａ間に対して、その引き回した第１導線Ｗ１にて逆巻方向の第１３コイル部Ｃ１３を巻回する。
【０１８９】
一方、図１７（ｂ）に示されるように、βフライヤは、第３セグメントＳ３のライザＲに引っ掛けた第２導線Ｗ２を、スロット番号「２」のスロットまで反時計回り方向に引き回す。そして、βフライヤは、スロット番号「２」と「１６」のスロット間において、すなわち、第１ティースＴ１の第２分岐部Ｔ１ｂ及び第８ティースＴ８の第１分岐部Ｔ８ａ間に対して、その引き回した第２導線Ｗ２にて逆巻方向の第１６コイル部Ｃ１６を巻回する。
【０１９０】
「巻線巻回工程１１」（スロット：「１６」→「１４」、「６」→「４」）
図１７（ａ）に示されるように、αフライヤは、第６ティースＴ６の第２分岐部Ｔ６ｂ及び第５ティースＴ５の第１分岐部Ｔ５ａ間に第１３コイル部Ｃ１３を巻回した第１導線Ｗ１を、スロット番号「１２」のスロットから反整流子側に引き出す。続いて、αフライヤは、その反整流子側に引き出した第１導線Ｗ１を、スロット番号「１６」のスロットまで反時計回り方向に引き回す。そして、αフライヤは、スロット番号「１６」と「１４」のスロット間において、すなわち、第８ティースＴ８の第２分岐部Ｔ８ｂ及び第７ティースＴ７の第１分岐部Ｔ７ａ間に対して、その引き回した第１導線Ｗ１にて順巻方向の第１５コイル部Ｃ１５を巻回する。
【０１９１】
一方、図１７（ｂ）に示されるように、βフライヤは、第１ティースＴ１の第２分岐部Ｔ１ｂ及び第８ティースＴ８の第１分岐部Ｔ８ａ間に第１６コイル部Ｃ１６を巻回した第２導線Ｗ２を、スロット番号「２」のスロットから反整流子側に引き出す。続いて、βフライヤは、その反整流子側に引き出した第２導線Ｗ２を、スロット番号「６」のスロットまで反時計回り方向に引き回す。そして、βフライヤは、スロット番号「６」と「４」のスロット間において、すなわち、第３ティースＴ３の第２分岐部Ｔ３ｂ及び第２ティースＴ２の第１分岐部Ｔ２ａ間に対して、その引き回した第２導線Ｗ２にて順巻方向の第１０コイル部Ｃ１０を巻回する。
【０１９２】
「巻線巻回工程１２」（スロット：「１０」、動作しない）
図１７（ａ）に示されるように、αフライヤは、第８ティースＴ８の第２分岐部Ｔ８ｂ及び第７ティースＴ７の第１分岐部Ｔ７ａ間に第１５コイル部Ｃ１５を巻回した第１導線Ｗ１を、スロット番号「１４」のスロットから反整流子側に引き出す。続いて、αフライヤは、その反整流子側に引き出した第１導線Ｗ１を、スロット番号「１０」のスロットまで反時計回り方向に引き回す。そして、αフライヤは、スロット番号「１０」のスロットから整流子側に引き出す。
【０１９３】
一方、図１７（ｂ）に示されるように、βフライヤは、動作せず、本工程分、停止する。
【０１９４】
「巻線巻回工程１３」（セグメント：Ｓ１２、動作しない）
図１７（ａ）に示されるように、αフライヤは、スロット番号「１０」のスロットから整流子側に引き出した第１導線Ｗ１を、時計回り方向に第１２セグメントＳ１２まで引き回し、該第１２セグメントＳ１２のライザＲに引っ掛ける。
【０１９５】
一方、図１７（ｂ）に示されるように、βフライヤは、動作せず、本工程分、停止する。
【０１９６】
「巻線巻回工程１４」（スロット：動作しない、「８」）
図１７（ａ）に示されるように、αフライヤは、動作せず、本工程分、停止する。
【０１９７】
一方、図１７（ｂ）に示されるように、βフライヤは、スロット番号「１０」のスロットから整流子側に引き出した第２導線Ｗ２を、スロット番号「８」のスロットから整流子側に引き出す。
【０１９８】
「巻線巻回工程１５」（セグメント：動作しない、「１０」）
図１７（ａ）に示されるように、αフライヤは、動作せず、本工程分、停止する。
【０１９９】
一方、図１７（ｂ）に示されるように、βフライヤは、第１０コイル部Ｃ１０に巻回した第２導線Ｗ２を、スロット番号「８」のスロットまで反時計回り方向に引き回す。そして、βフライヤは、スロット番号「８」のスロットから整流子側に引き出した第２導線Ｗ２を、時計回り方向に第１０セグメントＳ１０まで引き回し、該第１０セグメントＳ１０のライザＲに引っ掛ける。
【０２００】
そして、以上の巻線巻回工程９〜１５によって第１外側巻線７１及び第２外側巻線７２が形成される。
【０２０１】
第１外側巻線７１は、一端側結線部が第１３セグメントＳ１３に結線されると共に、他端側結線部が第１２セグメントＳ１２に結線され、かつ、該一端側結線部及び他端側結線部の間に、第６ティースＴ６の第２分岐部Ｔ６ｂ及び第５ティースＴ５の第１分岐部Ｔ５ａに亘って分布巻きされた第１３コイル部Ｃ１３と、第８ティースＴ８の第２分岐部Ｔ８ｂ及び第７ティースＴ７の第１分岐部Ｔ７ａに亘って分布巻きされた第１５コイル部Ｃ１５とを有する。
【０２０２】
第２外側巻線７２は、一端側結線部が第３セグメントＳ３に結線されると共に、他端側結線部が第１０セグメントＳ１０に結線され、かつ、該一端側結線部及び他端側結線部の間に、第１ティースＴ１の第２分岐部Ｔ１ｂ及び第８ティースＴ８の第１分岐部Ｔ８ａに亘って分布巻きされた第１６コイル部Ｃ１６と、第３ティースＴ３の第２分岐部Ｔ３ｂ及び第２ティースＴ２の第１分岐部Ｔ２ａに亘って分布巻きされた第１０コイル部Ｃ１０とを有する。
【０２０３】
以上の巻線巻回工程９〜１５は、第１外側巻線７１を形成すると共に、第２外側巻線７２を形成する「第１外側巻線巻回工程」である。
【０２０４】
「巻線巻回工程１６」（セグメント：Ｓ９、Ｓ１５）
図１８（ａ）に示されるように、αフライヤは、第１２セグメントＳ１２のライザＲに引っ掛けた第１導線Ｗ１を、時計回り方向に第９セグメントＳ９まで引き回し、該第９セグメントＳ９のライザＲに引っ掛ける。
【０２０５】
一方、図１８（ｂ）に示されるように、βフライヤは、第１０セグメントＳ１０のライザＲに引っ掛けた第２導線Ｗ２を、時計回り方向に第１５セグメントＳ１５まで引き回し、該第１５セグメントＳ１５のライザＲに引っ掛ける。
【０２０６】
「巻線巻回工程１７」（スロット：「１０」、「１６」）
図１８（ａ）に示されるように、αフライヤは、第９セグメントＳ９のライザＲに引っ掛けた第１導線Ｗ１を、スロット番号「１０」のスロットから反整流子側に引き出す。
【０２０７】
一方、図１８（ｂ）に示されるように、βフライヤは、第１５セグメントＳ１５のライザＲに引っ掛けた第２導線Ｗ２を、スロット番号「１６」のスロットから反整流子側に引き出す。
【０２０８】
「巻線巻回工程１８」（スロット：「６」→「８」、「１２」→「１４」）
図１８（ａ）に示されるように、αフライヤは、スロット番号「１０」のスロットから反整流子側に引き出した第１導線Ｗ１を、スロット番号「６」のスロットまで反時計回り方向に引き回す。そして、αフライヤは、スロット番号「６」と「８」のスロット間において、すなわち、第３ティースＴ３の第１分岐部Ｔ３ａ及び第４ティースＴ４の第２分岐部Ｔ４ｂ間に対して、その引き回した第１導線Ｗ１にて逆巻方向の第１１コイル部Ｃ１１を巻回する。
【０２０９】
一方、図１１（ｂ）に示されるように、βフライヤは、スロット番号「１６」のスロットから反整流子側に引き出した第２導線Ｗ２を、スロット番号「１２」のスロットまで反時計回り方向に引き回す。そして、βフライヤは、スロット番号「１２」と「１４」のスロット間において、すなわち、第６ティースＴ６の第１分岐部Ｔ６ａ及び第７ティースＴ７の第２分岐部Ｔ７ｂ間に対して、その引き回した第２導線Ｗ２にて逆巻方向の第１４コイル部Ｃ１４を巻回する。
【０２１０】
「巻線巻回工程１９」（スロット：「２」→「４」、「８」→「１０」）
図１８（ａ）に示されるように、αフライヤは、第３ティースＴ３の第１分岐部Ｔ３ａ及び第４ティースＴ４の第２分岐部Ｔ４ｂ間に第１１コイル部Ｃ１１を巻回した第１導線Ｗ１を、スロット番号「６」のスロットから整流子側に引き出す。続いて、αフライヤは、その整流子側に引き出した第１導線Ｗ１を、スロット番号「２」のスロットまで反時計回り方向に引き回す。そして、αフライヤは、スロット番号「２」と「４」のスロット間において、すなわち、第１ティースＴ１の第１分岐部Ｔ１ａ及び第２ティースＴ２の第２分岐部Ｔ２ｂ間に対して、その引き回した第１導線Ｗ１にて順巻方向の第９コイル部Ｃ９を巻回する。
【０２１１】
一方、図１８（ｂ）に示されるように、βフライヤは、第６ティースＴ６の第６分岐部Ｔ６ａ及び第７ティースＴ７の第２分岐部Ｔ２ｂ間に第１４コイル部Ｃ１４を巻回した第２導線Ｗ２を、スロット番号「１２」のスロットから整流子側に引き出す。続いて、βフライヤは、その整流子側に引き出した第２導線Ｗ２を、スロット番号「８」のスロットまで反時計回り方向に引き回す。そして、βフライヤは、スロット番号「８」と「１０」のスロット間において、すなわち、第４ティースＴ４の第１分岐部Ｔ４ａ及び第５ティースＴ５の第２分岐部Ｔ５ｂ間に対して、その引き回した第２導線Ｗ２にて逆巻方向の第１２コイル部Ｃ１２を巻回する。
【０２１２】
「巻線巻回工程２０」（セグメント：Ｓ１６、Ｓ６）
図１８（ａ）に示されるように、αフライヤは、第１ティースＴ１の第１分岐部Ｔ１ａ及び第２ティースＴ２の第２分岐部Ｔ２ｂ間に第９コイル部Ｃ９を巻回した第１導線Ｗ１を、反時計回り方向に第１６セグメントＳ１６まで引き回し、該第１６セグメントＳ１６のライザＲに引っ掛ける。
【０２１３】
一方、図１８（ｂ）に示されるように、βフライヤは、第４ティースＴ４の第１分岐部Ｔ４ａ及び第５ティースＴ５の第２分岐部Ｔ５ｂ間に第１２コイル部Ｃ１２を巻回した第２導線Ｗ２を、反時計回り方向に第６セグメントＳ６まで引き回し、該第６セグメントＳ６のライザＲに引っ掛ける。
【０２１４】
そして、以上の巻線巻回工程１６〜２０によって第３外側巻線７３及び第４外側巻線７４が形成される。
【０２１５】
第３外側巻線７３は、一端側結線部が第９セグメントＳ９に結線されると共に、他端側結線部が第１６セグメントＳ１６に結線され、かつ、該一端側結線部及び他端側結線部の間に、第３ティースＴ３の第１分岐部Ｔ３ａ及び第４ティースＴ４の第２分岐部Ｔ４ｂに亘って分布巻きされた第１１コイル部Ｃ１１と、第１ティースＴ１の第１分岐部Ｔ１ａ及び第２ティースＴ２の第２分岐部Ｔ２ｂに亘って分布巻きされた第９コイル部Ｃ９とを有する。
【０２１６】
第４外側巻線７４は、一端側結線部が第１５セグメントＳ１５に結線されると共に、他端側結線部が第６セグメントＳ６に結線され、かつ、該一端側結線部及び他端側結線部の間に、第６ティースＴ６の第１分岐部Ｔ６ａ及び第７ティースＴ７の第２分岐部Ｔ７ｂに亘って分布巻きされた第１４コイル部Ｃ１４と、第４ティースＴ４の第１分岐部Ｔ４ａ及び第５ティースＴ５の第２分岐部Ｔ５ｂに亘って分布巻きされた第１２コイル部Ｃ１２とを有する。
【０２１７】
以上の巻線巻回工程１６〜２０は、第３外側巻線７３を形成すると共に、第４外側巻線７４を形成する「第２外内側巻線巻回工程」である。このように、本実施形態では、第１〜第４の複数の外側巻線が形成される。
【０２１８】
続いて、ヒュージングが行われ、このヒュージングによって、各セグメントのライザＲは、それぞれ対応する各巻線の端部と各短絡線の非端末部とともに接合されて電気的に接続される。
【０２１９】
「巻線巻回工程２１」（切断除去）
第１導線Ｗ１、第２導線Ｗ２について、図１６（ａ）、図１６（ｂ）、図１７（ａ）、図１７（ｂ），図１８（ａ）、図１８（ｂ）にそれぞれ「×」で示される部分を切断する。この部分を残しておくと、セグメント間が短絡するため、切断除去する必要がある。
【０２２０】
つまり、図１６（ａ）に示されるように、第１導線Ｗ１における第２セグメントＳ２及び第１４セグメントＳ１４間の部分を切断し、図１６（ｂ）に示されるように、第２導線Ｗ２における第８セグメントＳ８及び第４セグメントＳ４間の部分を切断する。
【０２２１】
また、図１７（ａ）に示されるように、第１導線Ｗ１における第５セグメントＳ５及び第１３セグメントＳ１３間の部分を切断し、図１７（ｂ）に示されるように、第２導線Ｗ２における第１１セグメントＳ１１及び第３セグメントＳ３間の部分を切断する。
【０２２２】
また、図１８（ａ）に示されるように、第１導線Ｗ１における第１２セグメントＳ１２及び第９セグメントＳ９間の部分を切断し、図１８（ｂ）に示されるように、第２導線Ｗ２における第１０セグメントＳ１０及び第１５セグメントＳ１５間の部分を切断する。この各セグメント間の切断は、整流子５４に沿って配線された導線において行われる（図１３参照）。以上の巻線巻回工程２１は、「切断工程」である。第２実施形態では、以上の製造方法により、電機子５０が製造される。
【０２２３】
次に、本発明の第２実施形態の作用及び効果について説明する。
【０２２４】
以上詳述したように、本発明の第２実施形態においても、第１内側巻線６１〜第４内側巻線６４の各々では、一端側結線部及び他端側結線部の間に複数の内側コイル部（本実施形態では、２個）が連続して形成されている。同様に、第１外側巻線７１〜第４外側巻線７４の各々では、一端側結線部及び他端側結線部の間に複数の外側コイル部（本実施形態では、２個）が連続して形成されている。したがって、内側コイル部及び外側コイル部の両端部をセグメントに結線する場合に比して、導線の切断回数及びターン数を減らすことができる。これにより、加工時間が短くなるので、コストダウンできる。
【０２２５】
また、１６個のセグメント一つ当たりにおける導線の結線本数が１本であるので、次工程のヒュージングを安定させることができる。
【０２２６】
また、全ての内側コイル部（Ｃ１〜Ｃ８）及び外側コイル部（Ｃ９〜Ｃ１６）の巻回を終えてから、導線の不要部分を切断するので、巻線巻回工程中に導線の不要部分を切断する場合に比して、加工時間を短くでき、より一層コストダウンできる。
【０２２７】
以上、本発明の第１及び第２実施形態について説明したが、本発明は、上記に限定されるものでなく、上記以外にも、その主旨を逸脱しない範囲内において種々変形して実施可能であることは勿論である。
【符号の説明】
【０２２８】
３０，１３０…直流モータ、４０…固定子、４２…ヨークハウジング、５０…電機子、５２…回転軸、５４…整流子、５６…電機子コア、５８…保持部材、６０…環状部、６１…第１内側巻線、６２…第２内側巻線、６３…第３内側巻線、６４…第４内側巻線、７１…第１外側巻線、７２…第２外側巻線、７３…第３外側巻線、７４…第４外側巻線、Ｂ１…陽極側ブラシ、Ｂ２…陰極側ブラシ、Ｃ１〜Ｃ２４…コイル部、Ｌ１〜Ｌ８…短絡線、ＭＧ１…第１永久磁石、ＭＧ２…第２永久磁石、Ｒ…ライザ、Ｓ，Ｓ１〜Ｓ２４…セグメント、ＳＬ…スロット、Ｔ，Ｔ１〜Ｔ１２…ティース、Ｔａ，Ｔ１ａ〜Ｔ１２ａ…第１分岐部、Ｔｂ，Ｔ１ｂ〜Ｔ１２ｂ…第２分岐部、Ｔｃ，Ｔ１ｃ〜Ｔ１０ｃ…軸部、Ｗ１…第１導線、Ｗ２…第２導線
【図１】
0006459764.tif 000005
【図２】
0006459764.tif 000006
【図３】
0006459764.tif 000007
【図４】
0006459764.tif 000008
【図５】
0006459764.tif 000009
【図６】
0006459764.tif 000010
【図７】
0006459764.tif 000011
【図８】
0006459764.tif 000012
【図９】
0006459764.tif 000013
【図１０】
0006459764.tif 000014
【図１１】
0006459764.tif 000015
【図１２】
0006459764.tif 000016
【図１３】
0006459764.tif 000017
【図１４】
0006459764.tif 000018
【図１５】
0006459764.tif 000019
【図１６】
0006459764.tif 000020
【図１７】
0006459764.tif 000021
【図１８】
0006459764.tif 000022